(57)【要約】【課題】セルラー通信のアイドルモードの端末装置に、装置間通信に認められる無線リソースを使用させ、装置間通信でのエラーを抑制することを可能にする。【解決手段】セル内での装置間通信に使用可能な無線リソースを決定する決定部と、上記セル内に位置する端末装置に上記無線リソースを通知する通知部と、を備える通信制御装置が提供される。上記通知部は、上記無線リソースが変更される場合に、上記無線リソースの変更をページングにより通知する。また、上記無線リソースが変更される場合に、変更前の上記無線リソースは、所定のタイミング以降に上記装置間通信に使用されず、変更後の上記無線リソースは、上記所定のタイミング以降に上記装置間通信に使用される。【選択図】図１０
2014087720.tif 000002
【特許請求の範囲】
【請求項１】
セル内での装置間通信に使用可能な無線リソースを決定する決定部と、
前記セル内に位置する端末装置に前記無線リソースを通知する通知部と、
を備え、
前記通知部は、前記無線リソースが変更される場合に、前記無線リソースの変更をページングにより通知し、
前記無線リソースが変更される場合に、変更前の前記無線リソースは、所定のタイミング以降に前記装置間通信に使用されず、変更後の前記無線リソースは、前記所定のタイミング以降に前記装置間通信に使用される、
通信制御装置。
【請求項２】
前記通知部は、前記装置間通信に使用可能な前記無線リソースを、前記セルのシステム情報の中で通知する、請求項１に記載の通信制御装置。
【請求項３】
前記通知部は、前記装置間通信に使用可能な前記無線リソースを、個別の端末装置へのシグナリングにより通知する、請求項１に記載の通信制御装置。
【請求項４】
前記決定部は、無線リソース制御のアイドルモードの端末装置により使用される特定の無線リソースの情報に基づいて、前記装置間通信に使用可能な前記無線リソースを決定する、請求項１に記載の通信制御装置。
【請求項５】
前記決定部は、前記特定の無線リソースを除くいずれかの無線リソースを、前記装置間通信に使用可能な前記無線リソースとして決定する、請求項４に記載の通信制御装置。
【請求項６】
前記決定部は、前記特定の無線リソースを含まないいずれかのサブフレームの無線リソースを、前記装置間通信に使用可能な前記無線リソースとして決定する、請求項５に記載の通信制御装置。
【請求項７】
前記特定の無線リソースは、ページング用の無線リソースを含む、請求項４に記載の通信制御装置。
【請求項８】
ページング用の前記無線リソースは、前記装置間通信を行う端末装置についてのページングに用いられる無線リソースである、請求項７に記載の通信制御装置。
【請求項９】
前記特定の無線リソースは、無線リソース制御の接続モードへの遷移のためのランダムアクセス手続きで使用される無線リソースを含む、請求項４に記載の通信制御装置。
【請求項１０】
前記ランダムアクセス手続きで使用される前記無線リソースは、物理ランダムアクセスチャネルの無線リソースである、請求項９に記載の通信制御装置。
【請求項１１】
前記ランダムアクセス手続きで使用される前記無線リソースは、前記装置間通信を行う端末装置により前記ランダムアクセス手続きで使用される無線リソースとして、予め選択された無線リソースである、請求項９に記載の通信制御装置。
【請求項１２】
前記決定部は、前記装置間通信に使用可能な前記無線リソースを、前記装置間通信のグループごとに決定し、
前記通知部は、前記装置間通信のグループごとに決定される前記無線リソースを通知する、
請求項１に記載の通信制御装置。
【請求項１３】
前記決定部は、前記装置間通信のグループ間で前記装置間通信に使用可能な無線リソースが重複しないように、前記装置間通信に使用可能な前記無線リソースを決定する、請求項１２に記載の通信制御装置。
【請求項１４】
前記決定部は、前記装置間通信の第１のグループと、当該第１のグループの近傍に位置する前記装置間通信の第２のグループとの間で、前記装置間通信に使用可能な無線リソースが重複しないように、前記装置間通信に使用可能な前記無線リソースを決定する、請求項１３に記載の通信制御装置。
【請求項１５】
前記通知部は、前記装置間通信に使用可能な前記無線リソースの前記変更を、前記システム情報の変更としてページングにより通知する、請求項２に記載の通信制御装置。
【請求項１６】
前記通知部は、前記装置間通信に使用可能な前記無線リソースの前記変更を、前記システム情報の変更とは別の変更としてページングにより通知し、前記無線リソースの前記変更を、前記システム情報の変更としてページングにより通知しない、請求項２に記載の通信制御装置。
【請求項１７】
前記装置間通信に使用可能な前記無線リソースは、無線リソース制御のアイドルモードの端末装置により前記装置間通信に使用され、無線リソース制御の接続モードの端末装置により前記装置間通信に使用されない、請求項１に記載の通信制御装置。
【請求項１８】
セル内での装置間通信に使用可能な無線リソースを決定することと、
前記セル内に位置する端末装置に前記無線リソースを通知することと、
前記無線リソースが変更される場合に、前記無線リソースの変更をページングにより通知することと、
を含み、
前記無線リソースが変更される場合に、変更前の前記無線リソースは、所定のタイミング以降に前記装置間通信に使用されず、変更後の前記無線リソースは、前記所定のタイミング以降に前記装置間通信に使用される、
通信制御方法。
【請求項１９】
セル内での装置間通信に使用可能な無線リソースが決定され、当該無線リソースが通知されると、当該無線リソースを認識するリソース認識部と、
認識される前記無線リソースが前記装置間通信で使用されるように、当該装置間通信を制御する制御部と、
前記無線リソースが変更される場合に、前記無線リソースの変更がページングにより通知されると、当該無線リソースの当該変更を認識する変更認識部と、
を備え、
前記制御部は、前記無線リソースが変更される場合に、変更前の前記無線リソースが所定のタイミング以降に前記装置間通信に使用されず、変更後の前記無線リソースが前記所定のタイミング以降に前記装置間通信に使用されるように、前記装置間通信を制御する、
端末装置。
【請求項２０】
コンピュータを、
セル内での装置間通信に使用可能な無線リソースが決定され、当該無線リソースが通知されると、当該無線リソースを認識するリソース認識部と、
認識される前記無線リソースが前記装置間通信で使用されるように、当該装置間通信を制御する制御部と、
前記無線リソースが変更される場合に、前記無線リソースの変更がページングにより通知されると、当該無線リソースの当該変更を認識する変更認識部と、
として機能させ、
前記制御部は、前記無線リソースが変更される場合に、変更前の前記無線リソースが所定のタイミング以降に前記装置間通信に使用されず、変更後の前記無線リソースが前記所定のタイミング以降に前記装置間通信に使用されるように、前記装置間通信を制御する、
プログラム。
【発明の詳細な説明】
【技術分野】
【０００１】
本開示は、通信制御装置、通信制御方法、端末装置及びプログラムに関する。
【背景技術】
【０００２】
近接端末間通信、又はデバイス−デバイス間通信（Ｄ２Ｄ通信）は、セルラー通信における基地局を経由する通信形態とは異なり、端末装置同士が信号を直接送受する通信形態である。そのため、Ｄ２Ｄ通信では、従来のセルラー通信とは異なる、端末装置の新しい利用形態が生まれてくることが期待される。例えば、近接する端末装置間若しくは近接する端末装置のグループ内におけるデータ通信による情報共有、設置された端末装置からの情報の頒布、ＭＴＣ（Machine  Type  Communication）と呼ばれる機器間の自律通信など、様々な応用が考えられる。【０００３】
また、近年のスマートフォンの増加による、データトラフィックの著しい増加に対して、Ｄ２Ｄ通信をデータのオフローディングに活用することも考えられる。例えば、端末装置間の距離が小さい場合のように、端末装置同士がＤ２Ｄ通信に適している状態であれば、データをＤ２Ｄ通信にオフローディングすることにより、ＲＡＮ（Radio  Access  Network）におけるリソースの消費及び処理の負荷を抑えることができる。このように、Ｄ２Ｄ通信は、通信事業者及びユーザの双方にとって利用価値がある。そのため、現在、Ｄ２Ｄ通信は、３ＧＰＰ（3rd  Generation  Partnership  Project）標準化会議においても、ＬＴＥ（Long  Term  Evolution）に必要な重要な技術領域の１つとして認識され、注目されている。【０００４】
例えば、セルラー通信の通信方式と同一の通信方式によりＤ２Ｄ通信に関する技術として、特許文献１には、ＴＤ−ＣＤＭＡ（Time  Division  -  Code  Division  Multiple  Access）によりＵＥ（User  Equipment）間でＰ２Ｐ（Peer  to  Peer）通信を行う技術が開示されている。
【先行技術文献】
【特許文献】
【０００５】
【特許文献１】特表２００７−５１２７５５号公報
【発明の概要】
【発明が解決しようとする課題】
【０００６】
しかし、上記特許文献１の技術によれば、無線リソースがＵＥに割り当てられるものの、ＵＥに割り当てられるリソースが変更される場合に、ＵＥがどのように当該変更を認識するか不明である。例えば、上記特許文献１の技術によれば、ＵＥがセルにおいて接続状態であることが前提となっているので、ＵＥがアイドルモードである場合には、ＵＥにより無線リソースの変更が認識されることは保証されない。その結果、ＵＥは、Ｄ２Ｄ通信に認められていない無線リソースを使用してＤ２Ｄ通信を行い得る。また、ＵＥが、割り当てられた無線リソースを認識して使用するとしても、当該ＵＥのＤ２Ｄ通信の相手側のＵＥは、まだ、上記無線リソースを認識して使用していない可能性がある。その結果、これらのＵＥ間でのＤ２Ｄ通信にエラーが生じ得る。【０００７】
そこで、セルラー通信のアイドルモードの端末装置に、装置間通信に認められる無線リソースを使用させ、装置間通信でのエラーを抑制することを可能にする仕組みが提供されることが望ましい。
【課題を解決するための手段】
【０００８】
本開示によれば、セル内での装置間通信に使用可能な無線リソースを決定する決定部と、上記セル内に位置する端末装置に上記無線リソースを通知する通知部と、を備える通信制御装置が提供される。上記通知部は、上記無線リソースが変更される場合に、上記無線リソースの変更をページングにより通知する。また、上記無線リソースが変更される場合に、変更前の上記無線リソースは、所定のタイミング以降に上記装置間通信に使用されず、変更後の上記無線リソースは、上記所定のタイミング以降に上記装置間通信に使用される。【０００９】
また、本開示によれば、セル内での装置間通信に使用可能な無線リソースを決定することと、上記セル内に位置する端末装置に上記無線リソースを通知することと、上記無線リソースが変更される場合に、上記無線リソースの変更をページングにより通知することと、を含む通信制御方法が提供される。上記無線リソースが変更される場合に、変更前の上記無線リソースは、所定のタイミング以降に上記装置間通信に使用されず、変更後の上記無線リソースは、上記所定のタイミング以降に上記装置間通信に使用される。【００１０】
また、本開示によれば、
セル内での装置間通信に使用可能な無線リソースが決定され、当該無線リソースが通知されると、当該無線リソースを認識するリソース認識部と、認識される上記無線リソースが上記装置間通信で使用されるように、当該装置間通信を制御する制御部と、上記無線リソースが変更される場合に、上記無線リソースの変更がページングにより通知されると、当該無線リソースの当該変更を認識する変更認識部と、を備える端末装置が提供される。上記制御部は、上記無線リソースが変更される場合に、変更前の上記無線リソースが所定のタイミング以降に上記装置間通信に使用されず、変更後の上記無線リソースが上記所定のタイミング以降に上記装置間通信に使用されるように、上記装置間通信を制御する。【００１１】
また、本開示によれば、コンピュータを、セル内での装置間通信に使用可能な無線リソースが決定され、当該無線リソースが通知されると、当該無線リソースを認識するリソース認識部と、認識される上記無線リソースが上記装置間通信で使用されるように、当該装置間通信を制御する制御部と、上記無線リソースが変更される場合に、上記無線リソースの変更がページングにより通知されると、当該無線リソースの当該変更を認識する変更認識部と、として機能させるためのプログラムが提供される。上記制御部は、上記無線リソースが変更される場合に、変更前の上記無線リソースが所定のタイミング以降に上記装置間通信に使用されず、変更後の上記無線リソースが上記所定のタイミング以降に上記装置間通信に使用されるように、上記装置間通信を制御する。
【発明の効果】
【００１２】
以上説明したように本開示によれば、セルラー通信のアイドルモードにある端末装置に、装置間通信に認められる無線リソースを使用させ、装置間通信でのエラーを抑制することが可能となる。
【図面の簡単な説明】
【００１３】
【図１】ＴＤＤコンフィギュレーションを説明するための説明図である。
【図２】各端末装置のページング機会の例を説明するための説明図である。
【図３】ページング機会のサブフレームの例を説明するための説明図である。
【図４】ページングメッセージに含まれる情報の例を説明するための説明図である。
【図５】ページングについての端末装置の動作の例を説明するための説明図である。
【図６】ＰＲＡＣＨが位置する無線フレームの一例を説明するための説明図である。
【図７】ＰＲＡＣＨが位置するサブフレームの一例を説明するための説明図である。
【図８】システム情報に含まれる情報ブロックの一例を説明するための説明図である。
【図９】システム情報の変更の通知のタイミングとシステム情報の変更のタイミングとを説明するための説明図である。
【図１０】一実施形態に係る無線通信システム１の概略的な構成の一例を示す説明図である。
【図１１】一実施形態に係る基地局の構成の一例を示すブロック図である。
【図１２】Ｄ２Ｄリソースとして認められない無線リソース（Ｄ２Ｄ通信を行う端末装置２００についてのページング用の無線リソース）の例を説明するための説明図である。
【図１３】Ｄ２Ｄリソースとして認められない無線リソース（ＰＲＡＣＨの無線リソース）の例を説明するための説明図である。
【図１４】決定されるＤ２Ｄリソースの一例を説明するための説明図である。
【図１５】一実施形態に係るページングメッセージに含まれる情報の一例を説明するための説明図である。
【図１６】一実施形態に係る端末装置の構成の一例を示すブロック図である。
【図１７】一実施形態に係るページングについての端末装置の動作の例を説明するための説明図である。
【図１８】一実施形態に係る基地局側の通信制御処理の概略的な流れの一例を示すフローチャートである。
【図１９】一実施形態に係るＤ２Ｄリソース変更判定処理の概略的な流れの一例を示すフローチャートである。
【図２０】一実施形態に係る基地局側の通信制御処理の概略的な流れの一例を示すフローチャートである。
【図２１】Ｄ２Ｄ通信のグループ間での干渉の一例を説明するための説明図である。
【図２２】Ｄ２Ｄ通信のグループごとに決定されるＤ２Ｄリソースの一例を説明するための説明図である。
【図２３】一実施形態の変形例に係る基地局側の通信制御処理の概略的な流れの一例を示すフローチャートである。
【図２４】本開示に係る技術が適用され得るｅＮＢの概略的な構成の第１の例を示すブロック図である。
【図２５】本開示に係る技術が適用され得るｅＮＢの概略的な構成の第２の例を示すブロック図である。
【図２６】本開示に係る技術が適用され得るスマートフォンの概略的な構成の一例を示すブロック図である。
【図２７】本開示に係る技術が適用され得るカーナビゲーション装置の概略的な構成の一例を示すブロック図である。
【発明を実施するための形態】
【００１４】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．３ＧＰＰにおける無線通信の技術
２．無線通信システムの概略的な構成
３．基地局の構成
４．端末装置の構成
５．処理の流れ
６．変形例
６．１．概要
６．２．基地局の構成
６．３．処理の流れ
７．応用例
７．１．基地局に関する応用例
７．２．端末装置に関する応用例
８．まとめ
【００１６】
＜＜１．３ＧＰＰにおける無線通信の技術＞＞
まず、図１〜図９を参照して、３ＧＰＰにおける無線通信の技術を説明する。
【００１７】
（ＴＤＤ）
ＬＴＥでは、複信方式として、ＦＤＤ（Frequency  Division  Duplex）又はＴＤＤ（Time  Division  Duplexing）が採用される。ＦＤＤでは、ダウンリンク送信とアップリンク送信とで別々の周波数帯域が使用される。また、ＴＤＤでは、ダウンリンク送信とアップリンク送信とで同じ周波数帯域が使用されるが、ダウンリンク送信とアップリンク送信とは別々の時間に行われる。
【００１８】
例えば、ＬＴＥでは、１０ｍｓの各無線フレーム（Radio  Frame）の中に１０のサブフレームが含まれる。そして、ＴＤＤにおける無線フレームのコンフィギュレーション（Configuration）として、♯０〜♯６の７つのＴＤＤコンフィギュレーションが定められている。以下、この点について図１を参照して具体例を説明する。
【００１９】
図１は、ＴＤＤコンフィギュレーションを説明するための説明図である。図１を参照すると、コンフィギュレーション０〜６の７つのＴＤＤコンフィギュレーションが示されている。上述したように、無線フレームは、１０のサブフレームを含む。そして、各サブフレームは、ダウンリンクサブフレーム（Ｄ）、アップリンクサブフレーム（Ｕ）及びスペシャルサブフレーム（Ｓ）のいずれかに設定される。スペシャルサブフレームは、ダウンリンクとアップリンクとの切り替えのための時間を確保するために、ダウンリンクサブフレームとアップリンクサブフレームとの間に挿入されるサブフレームである。
【００２０】
なお、ＴＤＤコンフィギュレーションは、システム情報（System  Information）の中で送信される。より具体的には、ＴＤＤコンフィギュレーションは、ＳＩＢ１（System  Information  Block  Type  1）の中で送信される。
【００２１】
（ページング）
−ページング機会（Paging  Occasion）
図２及び図３を参照して、ＬＴＥにおけるページング機会を説明する。
【００２２】
ＬＴＥでは、ページング機会が定められている。より具体的には、ページングが行われる無線フレームのシステムフレーム番号（ＳＦＮ）、及びページングが行われるサブフレームが、定められている。
【００２３】
各端末装置（即ち、ＵＥ）についてのページングが行われる無線フレームのＳＦＮは、以下の式で定められる。
【００２４】
【数１】
2014087720.tif 000003
【００２５】
ＵＥ＿ＩＤは、端末装置（即ち、ＵＥ）のＩＭＳＩ（International  Mobile  Subscriber  Identity）の下１０ビットである。また、Ｔは、ページング周期である。換言すると、Ｔは、ＤＲＸ（Discontinuous  Reception）サイクルである。また、Ｎは、ＴとｎＢのうちの小さい方の値である。即ち、Ｎ＝Ｍｉｎ（Ｔ，ｎＢ）である。Ｔ及びｎＢは、システム情報のうちのＳＩＢ２（System  Information  Block  Type  2）の中で送信される。
【００２６】
また、Ｔ及びｎＢは、以下の値から選択される。
【００２７】
【数２】
2014087720.tif 000004
【００２８】
【数３】
2014087720.tif 000005
【００２９】
以上のように、各端末装置についてのページングが行われる無線フレームが定められる。以下、図２を参照して、各端末装置のページング機会の具体例を説明する。
【００３０】
図２は、各端末装置のページング機会の例を説明するための説明図である。図２を参照すると、各端末装置（端末装置Ａ、端末装置Ｂ）のページング機会が示されている。このように、例えば、各ページング周期には、各端末装置（端末装置Ａ、端末装置Ｂ）についてのページング機会が存在する。また、例えば、別の端末装置が加わると、ページング機会が新たに追加され得る。
【００３１】
また、ＬＴＥでは、パラメータＮｓの値により、ページングが行われるサブフレームが決まる。例えば、ＴＤＤ及びＦＤＤの両方で、Ｎｓの値は、１、２及び３のいずれかである。
【００３２】
例えば、ＴＤＤでは、Ｎｓ＝１の場合には、♯０のサブフレームにページングが行われ得る。また、Ｎｓ＝２の場合には、♯０のサブフレーム及び♯５のサブフレームにページングが行われ得る。Ｎｓ＝３の場合には、♯０のサブフレーム、♯５のサブフレーム及び♯６のサブフレームにページングが行われ得る。以下、この点について図３を参照して具体的に説明する。
【００３３】
図３は、ページング機会のサブフレームの例を説明するための説明図である。図３を参照すると、ＴＤＤコンフィギュレーション０が示されている。例えば、Ｎｓ＝２の場合には、このように、ダウンリンクサブフレームである♯０のサブフレーム及び♯５のサブフレームがページング機会になる。
【００３４】
また、ＦＤＤでは、Ｎｓ＝１の場合には♯９のサブフレームに、Ｎｓ＝２の場合には♯４のサブフレーム及び♯９のサブフレームに、Ｎｓ＝３の場合には♯０のサブフレーム、♯４のサブフレーム、♯５のサブフレーム及び♯９のサブフレームに、ページングが行われ得る。
【００３５】
なお、上述したようにＮｓ＝２およびＮｓ＝３の場合には、複数のサブフレームでページングが行われ得る。各ＵＥについてのページングがいずれのサブフレームで行われるかは、各ＵＥのＵＥ＿ＩＤに依存する。
【００３６】
以上のように、各端末装置についてのページングが行われるサブフレームが定められる。
【００３７】
−ページングメッセージ
次に、図４を参照して、ページングメッセージの具体的な内容を説明する。
【００３８】
図４は、ページングメッセージに含まれる情報の例を説明するための説明図である。図４を参照すると、ページングメッセージには、例えば、ページングレコードリスト、システム情報変更のフラグ、及び地震津波警報システム（Earthquake  and  Tsunami  Warning  System：ＥＴＷＳ）指示（Indication）のフラグが含まれる。
【００３９】
ページングレコードは、最大１６個の呼出し記録のリストである。ページングレコードリスト内には、呼出しの対象である端末装置（即ち、ＵＥ）のＵＥ識別子（Identity）が含まれる。ページングレコードリスト内のＵＥ識別子は、Ｓ−ＴＭＳＩ（SAE  -  Temporary  Mobile  Subscriber  Identity)、又はＩＭＳＩ（International  Mobile  Subscriber  Identity）である。また、ページングレコードリスト内には、ページング元のコアネットワークドメインの情報が含まれる。当該情報は、ページング元のコアネットワークドメインがＣＳ（Circuit  Switched）ドメインであるか、又はＰＳ（Packet  Switched）ドメインであるかを示す。
【００４０】
システム情報変更のフラグは、システム情報の変更があったか否かを示す。例えば、システム情報の変更がある場合には、当該フラグは１となり、システム情報の変更がない場合には、当該フラグは０となる。なお、システム情報変更のフラグは、基本的には、いずれかのシステム情報が変更された場合に１となるが、システム情報のうちの一部の例外的な情報のみが変更された場合には１とならない（つまり０のままである）。当該例外的な情報は、例えば、ＥＴＷＳに関する情報、ＣＭＡＳ（Commercial  Mobile  Alert  System）に関する情報等を含む。
【００４１】
また、ＥＴＷＳ指示のフラグは、地震津波システムの指示があったか否かを示す。
【００４２】
−ページングについての端末装置の動作
次に、図５を参照して、ページングについての端末装置の動作を説明する。
【００４３】
図５は、ページングについての端末装置の動作の例を説明するための説明図である。図５を参照すると、まず、アイドルモードである端末装置は、所定のページング機会のサブフレーム内のＰＤＣＣＨ（Physical  Downlink  Control  CHannel）にＰ−ＲＮＴＩ（Paging  Radio  Network  Temporary  Identifier）が存在するかどうかモニタリングする。
【００４４】
ページング機会のサブフレーム内のＰＤＣＣＨ内にＰ−ＲＮＴＩがある場合に、当該サブフレーム内にはページングメッセージが含まれる。よって、端末装置は、当該ページングメッセージを取得する。上述したように、当該ページングメッセージには、ページングレコードリスト、システム情報変更のフラグ、及びＥＴＷＳ指示のフラグが含まれる。なお、ＰＤＣＣＨ内にＰ−ＲＮＴＩがない場合には、端末装置は、次のページング機会にＰＤＣＣＨのモニタリングを再度行う。
【００４５】
端末装置（即ち、ＵＥ）は、ページングメッセージを取得すると、ページングレコードリスト内に自装置宛のＵＥ識別子（Identity）が存在するかを確認する。ページングレコードリスト内に自装置宛のＵＥ識別子がある場合には、端末装置は、ネットワークからの呼出しがあったことを認識する。その場合に、端末装置は、コアネットワークドメインの情報から、呼出し元がＣＳドメインか又はＰＳドメインかを確認する。なお、ページングレコードリスト内に自装置宛のＵＥ識別子がない場合には、端末装置は、次のページング機会にＰＤＣＣＨのモニタリングを再度行う。
【００４６】
また、端末装置は、ページングメッセージを取得すると、システム情報変更のフラグから、システム情報の変更があったか否かも確認する。システム情報の変更があった場合には、端末装置はシステム情報を再度取得する。
【００４７】
また、端末装置は、ページングメッセージを取得すると、ＥＴＷＳ指示のフラグから、ＥＴＷＳの指示があったかを確認する。ＥＴＷＳの指示があった場合には、端末装置は、緊急アラームの動作を含む所定の動作を行う。
【００４８】
（ランダムアクセス）
次に、図６及び図７を参照して、ランダムアクセスのタイミングを説明する。
【００４９】
端末装置は、無線リソース制御（ＲＲＣ）のアイドルモード（RRC  Idle  mode）からＲＲＣの接続モード（RRC  Connected  mode）へ遷移するためのランダムアクセス手続きで、ＰＲＡＣＨ（Physical  Random  Access  CHannel）でＲＰＡＣＨプリアンブルを送信する。ＬＴＥでは、ＰＲＡＣＨプリアンブルの送信タイミング（即ち、ＰＲＡＣＨのタイミング）は、ＰＲＡＣＨコンフィギュレーションインデックス（PRACH  Configuration  Index）により予め指定される。
【００５０】
第１に、ＰＲＡＣＨコンフィギュレーションインデックスは、ＰＲＡＣＨが位置する無線フレーム（即ち、ＰＲＡＣＨプリアンブルが送信され得る無線フレーム）を指定する。具体的には、ＰＲＡＣＨコンフィギュレーションインデックスに応じて、各無線フレーム、ＳＦＮが偶数である無線フレーム、又はＳＦＮが奇数である無線フレームに、ＰＲＡＣＨが位置する。このように、ＰＲＡＣＨは、１０ｍｓごとに、又は２０ｍｓごとに存在する。以下、この点について図６を参照して具体例を説明する。
【００５１】
図６は、ＰＲＡＣＨが位置する無線フレームの一例を説明するための説明図である。図６を参照すると、ＰＲＡＣＨのタイミングとして、ＰＲＡＣＨが送信される無線フレームのタイミングが示されている。例えば、ＰＲＡＣＨコンフィギュレーションインデックスが０である場合に、ＳＦＮが偶数である無線フレームにＰＲＡＣＨが位置する。即ち、２０ｍｓごとにＰＲＡＣＨが存在する。図６に示されるように、例えば、ページング周期が３２０ｍｓ（即ち、３２の無線フレーム）である場合には、１ページング周期の間に、１６の無線フレームにＰＲＡＣＨが位置する。
【００５２】
また、別の具体例として、例えば、ＰＲＡＣＨコンフィギュレーションインデックスが５５である場合に、各無線フレームにＰＲＡＣＨが位置する。
【００５３】
第２に、ＰＲＡＣＨコンフィギュレーションインデックスは、ＰＲＡＣＨが位置するサブフレーム（即ち、ＰＲＡＣＨプリアンブルが送信され得るサブフレーム）を指定する。例えば、ＰＲＡＣＨコンフィギュレーションインデックスには、プリアンブルフォーマット０〜４のいずれか１つが対応する。例えば、プリアンブルフォーマット０〜３では、ＰＲＡＣＨコンフィギュレーションインデックスにより、ＰＲＡＣＨプリアンブルが送信可能なサブフレームの組合せが指示される。また、ＴＤＤのプリアンブルフォーマット４では、ＰＲＡＣＨコンフィギュレーションインデックスにより、スペシャルサブフレーム内のＵｐＰＴＳ（Uplink  Pilot  Time  Slot）が、ＰＲＡＣＨプリアンブルが送信可能なタイミングとして指示される。以下、ＰＲＡＣＨが位置するサブフレームについて図７を参照して具体例を説明する。
【００５４】
図７は、ＰＲＡＣＨが位置するサブフレームの一例を説明するための説明図である。図７を参照すると、ＴＤＤコンフィギュレーション０が示されている。例えば、このようにＴＤＤコンフィギュレーションがコンフィギュレーション０であり、且つＰＲＡＣＨコンフィギュレーションインデックスが０である場合に、無線フレームの中の♯２のサブフレームにＰＲＡＣＨが位置する。即ち、♯２のサブフレームに、ＰＲＡＣＨプリアンブルが送信され得る。
【００５５】
また、別の具体例として、例えば、ＰＲＡＣＨコンフィギュレーションインデックスが５５である場合に、プリアンブルフォーマットは４であり、スペシャルサブフレーム内のＵｐＰＴＳにＰＲＡＣＨが位置する。即ち、ＵｐＰＴＳに、ＰＲＡＣＨプリアンブルが送信され得る。
【００５６】
なお、例えば、ＭＴＣを行う端末装置であったとしても、オペレーティングシステムあるいはアプリケーションソフトウェア等の要請により、任意のタイミングで基地局と接続しようとすることが想定される。即ち、ＭＴＣを行う端末装置も、ＰＲＡＣＨプリアンブルを送信することが想定される。
【００５７】
（システム情報）
−システム情報の内容
システム情報は、セルにおける無線通信に関する様々な情報を含む。例えば、ＬＴＥにおけるシステム情報は、マスタ情報ブロック（Master  Information  Block：ＭＩＢ）及び各種システム情報ブロック（System  Information  Block：ＳＩＢ）を含む。以下、この点について図８を参照して具体例を説明する。
【００５８】
図８は、システム情報に含まれる情報ブロックの一例を説明するための説明図である。図８を参照すると、システム情報として、１つのＭＩＢ及び複数のＳＩＢが示されている。具体的な例として、例えば、複数のＳＩＢのうちのＳＩＢ１は、ＴＤＤコンフィギュレーションの情報を含む。また、複数のＳＩＢのうちのＳＩＢ２は、各端末装置のページング機会を決めるためのページング周期（又はＤＲＸサイクル）Ｔ及びパラメータｎＢと、ランダムアクセスのタイミングを決めるためのＰＲＡＣＨコンフィギュレーションインデックスとを含む。さらに、ＳＩＢ２は、システム情報の変更のタイミングを決めるための変更期間係数（modification  period  coefficient）を含む。
【００５９】
なお、ＭＩＢ及び各種ＳＩＢは、それぞれの周期で送信される。また、ＭＩＢは、周波数方向及び時間方向における固定的な位置に配置される物理報知チャネル（Physical  Broadcast  CHannel：ＰＢＣＨ）上で送信される。また、ＳＩＢ１は、ＭＩＢで指定される、周波数方向及び時間方向における位置の無線リソースで送信される。また、残りのＳＩＢは、ＳＩＢ１により指定される無線リソースで送信される。
【００６０】
−システム情報の変更
システム情報は、変更される場合に、予め定められたタイミングで変更される。具体的には、システム情報は、システム情報変更期間ごとに変更され得る。当該システム情報変更期間は、ＤＲＸサイクル（即ち、ページング周期Ｔ）を、ＳＩＢ２に含まれる変更期間係数で乗算したものである。また、システム情報が変更される場合には、変更後のシステム情報が送信される前に、システム情報の変更が通知される。以下、システム情報の変更の通知のタイミング及びシステム情報の変更のタイミングを、図９を参照して具体的な内容を説明する。
【００６１】
図９は、システム情報の変更の通知のタイミングとシステム情報の変更のタイミングとを説明するための説明図である。図９を参照すると、システム情報についての２つの変更期間（Ｎ）及びシステム変更期間（Ｎ＋１）が示されている。例えば、システム情報が変更される場合に、変更期間（Ｎ）で、ページングによりシステム情報の変更が端末装置に通知される。また、変更期間（Ｎ）では、変更前のシステム情報が送信される。そして、変更期間（Ｎ）でシステム情報の変更が通知された後に、変更期間（Ｎ＋１）で、変更後のシステム情報が基地局により送信される。そして、端末装置は、変更期間（Ｎ＋１）になるとすぐに、システム情報の各情報ブロックが送信されるタイミングで変更後の情報ブロックを取得する。なお、端末装置は、変更後のシステム情報を取得するまで、変更前のシステム情報を使用する。
【００６２】
＜＜２．無線通信システムの概略的な構成＞＞
続いて、図１０を参照して、本開示の実施形態に係る無線通信システム１の概略的な構成を説明する。図１０は、本実施形態に係る無線通信システム１の概略的な構成の一例を示す説明図である。図１０を参照すると、無線通信システム１は、基地局１００及び２つ以上の端末装置２００を含む。無線通信システム１は、例えば、セルラー通信の通信方式としてＬＴＥを採用する。また、一例として、当該無線通信システム１では、ＴＤＤが採用される。
【００６３】
（基地局１００）
基地局１００は、セル１０内に位置する端末装置２００と無線通信する。即ち、基地局１００は、ダウンリンクで、ユーザデータ又は制御情報を端末装置１００へ送信し、アップリンクで、ユーザデータ又は制御情報を端末装置２００から受信する。
【００６４】
また、例えば、基地局１００は、システム情報を送信する。より具体的には、例えば、基地局１００は、ＭＩＢをＰＢＣＨ上で送信する。また、基地局１００は、ＭＩＢで指定される無線リソースでＳＩＢ１を送信し、ＳＩＢ１で指定される無線リソースで残りのＳＩＢを送信する。一例として、上述したように、ＳＩＢ１は、ＴＤＤコンフィギュレーションの情報が含む。また、ＳＩＢ２は、各端末装置２００のページング機会を決めるためのページング周期（又はＤＲＸサイクル）Ｔ及びパラメータｎＢと、ランダムアクセスのタイミングを決めるためのＰＲＡＣＨコンフィギュレーションインデックスとを含む。さらに、ＳＩＢ２は、システム情報の変更のタイミングを決めるための変更期間係数を含む。
【００６５】
また、例えば、基地局１００は、ページングを行う。より具体的には、例えば、基地局１００は、ページング周期で、各ＵＥに応じたタイミングでＵＥへのページングを行う。また、基地局１００は、ページングにより、端末装置への呼出しの有無、システム情報の変更の有無等を端末装置２００に通知する。
【００６６】
また、例えば、基地局１００は、端末装置１００とランダムアクセスの手続きを行う。より具体的には、例えば、基地局１００は、ＰＲＡＣＨで、端末装置２００からのＰＲＡＣＨプリアンブルを受信する。
【００６７】
また、とりわけ本実施形態では、基地局１００は、セル１０内でのＤ２Ｄ通信に使用可能な無線リソースを決定する。そして、基地局１００は、当該無線リソースを端末装置２００に通知する。
【００６８】
（端末装置２００）
端末装置２００は、基地局１００により形成されるセル１０内に位置する場合に、基地局１００と無線通信する。即ち、端末装置２００は、ダウンリンクで、ユーザデータ又は制御情報を基地局１００から受信し、アップリンクで、ユーザデータ又は制御情報を基地局１００へ送信する。
【００６９】
また、例えば、端末装置２００は、基地局１００により送信されるシステム情報を受信し、当該システム情報を取得する。
【００７０】
具体的には、例えば、端末装置２００は、ＳＩＢ１を取得する。すると、端末装置２００は、ＳＩＢ１からＴＤＤコンフィギュレーションを認識する。そして、端末装置２００は、当該ＴＤＤコンフィギュレーションに従って、ダウンリンクでの受信及びアップリンクでの送信を行う。
【００７１】
また、例えば、端末装置２００は、ＳＩＢ２を取得する。そして、端末装置２００は、ＳＩＢ２から、ページング周期（又はＤＲＸサイクル）Ｔ及びパラメータｎＢを認識する。そして、端末装置２００は、ページング周期Ｔ及びパラメータｎＢから、自装置のページング機会であるサブフレームを特定し、当該サブフレームでページングメッセージを受信する。
【００７２】
また、例えば、端末装置２００は、ＳＩＢ２から、ＰＲＡＣＨのタイミングを認識する。そして、端末装置２００は、無線リソース制御（ＲＲＣ）のアイドルモードからＲＲＣの接続モードへ遷移する際に、ＰＲＡＣＨ上でＰＲＡＣＨプリアンブルを送信する。
【００７３】
また、とりわけ本実施形態では、端末装置２００は、別の端末装置２００とのＤ２Ｄ通信を行う。例えば、端末装置２００は、基地局１００により通知される無線リソースを使用して、Ｄ２Ｄ通信を行う。図１０を再び参照すると、例えば、端末装置２００Ａ及び端末装置２００Ｂが、Ｄ２Ｄ通信を行う。一例として、Ｄ２Ｄ通信は、ＯＦＤＭ（Orthogonal  Frequency-Division  Multiplexing）に従って行われる。
【００７４】
以上、図１０を参照して本開示の実施形態に係る無線通信システム１の構成の一例を説明した。本実施形態では、セルラー通信のアイドルモードの端末装置２００に、Ｄ２Ｄ通信に認められる無線リソースを使用させ、装置間通信でのエラーを抑制することを可能にする。以降、＜＜２．基地局の構成＞＞、＜＜４．端末装置の構成＞＞、＜＜５．処理の流れ＞＞及び＜＜６．変形例＞＞において、その具体的な内容を説明する。
【００７５】
＜＜３．基地局の構成＞＞
続いて、図１１〜図１５を参照して、本実施形態に係る基地局１００の構成の一例を説明する。図１１は、本実施形態に係る基地局１００の構成の一例を示すブロック図である。図１１を参照すると、基地局１００は、アンテナ部１１０、無線通信部１２０、ネットワーク通信部１３０、記憶部１４０及び制御部１５０を備える。
【００７６】
（アンテナ部１１０）
アンテナ部１１０は、無線信号を受信し、受信された無線信号を無線通信部１２０へ出力する。また、アンテナ部１１０は、無線通信部１２０により出力された送信信号を送信する。
【００７７】
（無線通信部１２０）
無線通信部１２０は、セル１０内に位置する端末装置２００と無線通信する。
【００７８】
（ネットワーク通信部１３０）
ネットワーク通信部１３０は、他の通信ノードと通信する。例えば、ネットワーク通信部１３０は、他の基地局１００、ＭＭＥ（Mobility  Management  Entity）等と通信する。
【００７９】
（記憶部１４０）
記憶部１４０は、基地局１００の動作のためのプログラム及びデータを記憶する。
【００８０】
（制御部１５０）
制御部１５０は、基地局１００の様々な機能を提供する。制御部１５０は、Ｄ２Ｄリソース決定部１５１、Ｄ２Ｄリソース通知部１５３及びＤ２Ｄリソース変更通知部１５５を含む。
【００８１】
（Ｄ２Ｄリソース決定部１５１）
Ｄ２Ｄリソース決定部１５１は、セル１０内でのＤ２Ｄ通信に使用可能な無線リソースを決定する。
【００８２】
例えば、Ｄ２Ｄリソース決定部１５１は、無線リソース制御のアイドルモードの端末装置２００により使用される特定の無線リソースの情報に基づいて、セル１０内でのＤ２Ｄ通信に使用可能な無線リソース（以下、「Ｄ２Ｄリソース」と呼ぶ）を決定する。より具体的には、例えば、Ｄ２Ｄリソース決定部１５１は、上記特定の無線リソースを除くいずれかの無線リソースを、上記Ｄ２Ｄリソースとして決定する。以下、上記特定の無線リソースの具体例を説明する。
【００８３】
−除外すべき特定の無線リソースの第１の例：ページング用の無線リソース
第１の例として、上記特定の無線リソースは、ページング用の無線リソースを含む。即ち、Ｄ２Ｄリソースは、ページング用の無線リソースを除く無線リソースである。
【００８４】
一例として、ページング用の上記無線リソースは、セル１０内に位置する全ての端末装置２００についてのページングに用いられる無線リソースである。例えば、上述した図３に示されるように、ページングが行われるサブフレームを決定するためのパラメータＮｓが２である場合に、♯０のサブフレーム及び♯５のサブフレームにいずれかの端末装置２００についてのページングが行われ得る。よって、Ｄ２Ｄリソース決定部１５１は、♯０のサブフレーム及び♯５のサブフレームを除くサブフレームのいずれかの無線リソースを、Ｄ２Ｄリソースとして決定する。
【００８５】
このように、ページング用の無線リソースをＤ２Ｄリソースとして決定しないことにより、端末装置２００は、ページング用の無線リソースでＤ２Ｄ通信を行わない。その結果、Ｄ２Ｄ通信により端末装置２００がページングメッセージを受信できなくなってしまうことを防ぐことができる。
【００８６】
なお、別の例として、ページング用の上記無線リソースは、セル１０内でのＤ２Ｄ通信を行う端末装置２００についてのページングに用いられる無線リソースであってもよい。即ち、Ｄ２Ｄリソース決定部１５１は、Ｄ２Ｄ通信を行う端末装置２００についてのページングに用いられる無線リソースを除くいずれかの無線リソースを、Ｄ２Ｄリソースとして決定してもよい。
【００８７】
この場合に、例えば、まず、基地局１００は、Ｄ２Ｄ通信を行う端末装置２００を認識する。例えば、Ｄ２Ｄ通信を行う端末装置２００は、Ｄ２Ｄ通信を行う際に基地局１００への通知を行い、Ｄ２Ｄリソース決定部１５１は、Ｄ２Ｄ通信を行う端末装置２００を認識する。そして、Ｄ２Ｄリソース決定部１５１は、Ｄ２Ｄ通信を行う各端末装置２００についてのページング機会を算出する。そして、Ｄ２Ｄリソース決定部１５１は、当該ページング機会の無線リソースを除くいずれかの無線リソースを、Ｄ２Ｄリソースとして決定してもよい。以下、この点について図１２を参照して具体例を説明する。
【００８８】
図１２は、Ｄ２Ｄリソースとして認められない無線リソース（Ｄ２Ｄ通信を行う端末装置２００についてのページング用の無線リソース）の例を説明するための説明図である。図１２を参照すると、時間方向において、図１０に示されるようにＤ２Ｄ通信を行う端末装置２００Ａ及び端末装置２００Ｂのページング機会が示されている。このように、例えばセル１０において端末装置２００Ａ及び端末装置２００ＢのみがＤ２Ｄ通信を行なっている場合に、Ｄ２Ｄリソース決定部１５１は、これらのページング機会の無線リソースを除くいずれかの無線リソースをＤ２Ｄリソースとして決定する。具体的には、例えば、限られた無線フレームを除く無線フレームの無線リソースが、Ｄ２Ｄリソースとして決定され得る。
【００８９】
このように、全てのページング用の無線リソースではなく、Ｄ２Ｄ通信を実際に行う端末装置２００についてのページング用の無線リソースのみが、Ｄ２Ｄリソースの対象外であれば、より多くの無線リソースがＤ２Ｄリソースとして認められ得る。その結果、より多くのトラフィックについてのオフローディングが実現され得る。即ち、ＲＡＮにおける無線リソースの消費及び処理の負荷を抑えることができる。
【００９０】
−除外すべき特定の無線リソースの第２の例：ランダムアクセス用の無線リソース
また、第２の例として、上記特定の無線リソースは、無線リソース制御の接続モードへの遷移のためのランダムアクセス手続きで使用される無線リソースを含む。即ち、Ｄ２Ｄリソースは、ランダムアクセス手続きで使用される無線リソースを除くリソースである。
【００９１】
一例として、当該ランダムアクセス手続きで使用される当該無線リソースは、物理ランダムアクセスチャネル（Physical  Random  Access  CHannel：ＰＲＡＣＨ）の無線リソースである。即ち、Ｄ２Ｄリソースは、ＰＲＡＣＨの無線リソース以外の無線リソースである。以下、この点について、図１３を参照して具体例を説明する。
【００９２】
図１３は、Ｄ２Ｄリソースとして認められない無線リソース（ＰＲＡＣＨの無線リソース）の例を説明するための説明図である。図１２を参照すると、図６と同様に、時間方向において、ＰＲＡＣＨコンフィギュレーションインデックスが０である場合のＰＲＡＣＨのタイミングが示されている。例えばこのように、ＳＦＮが偶数である無線フレームにＰＲＡＣＨが位置する。このようにＰＲＡＣＨが配置される場合に、Ｄ２Ｄリソース決定部１５１は、これらのＰＲＡＣＨの無線リソースを除くいずれかの無線リソースをＤ２Ｄリソースとして決定する。具体的には、例えば、ＳＦＮが奇数である無線フレームのいずれかの無線リソースが、Ｄ２Ｄリソースとして決定され得る。なお、図７に示されるように、ＰＲＡＣＨコンフィギュレーションインデックスが０である場合には、♯２のサブフレームにＰＲＡＣＨが存在する。そのため、ＳＦＮが偶数である無線フレームの中の、♯２のサブフレーム以外のサブフレームのいずれかの無線リソースも、Ｄ２Ｄリソースとして決定されてもよい。
【００９３】
このように、ランダムアクセス手続きで使用される無線リソースをＤ２Ｄリソースとして決定しないことにより、端末装置２００は、ランダムアクセス手続きで使用される無線リソースでＤ２Ｄ通信を行わない。その結果、Ｄ２Ｄ通信により端末装置２００がランダムアクセス手続きを行えなくなることを防ぐことができる。また、上述したように、ランダムアクセス手続きで使用される無線リソースをＤ２Ｄリソースが、ＰＲＡＣＨの無線リソースであれば、Ｄ２Ｄ通信により端末装置２００がＰＲＡＣＨプリアンブルを送信できなくなることを防ぐことができる。
【００９４】
なお、別の例として、当該ランダムアクセス手続きで使用される当該無線リソースは、Ｄ２Ｄ通信を行う端末装置２００によりランダムアクセス手続きで使用される無線リソースとして、予め選択された無線リソースであってもよい。即ち、ＰＲＡＣＨ以外にランダムアクセス手続きで使用される無線リソースが予め選択されている場合には、Ｄ２Ｄリソース決定部１５１は、予め選択された当該無線リソースを除くいずれかの無線リソースを、Ｄ２Ｄリソースとして決定してもよい。なお、ランダムアクセス手続きは、端末装置２００によるＰＲＡＣＨプリアンブルの送信の他に、基地局１００によるＰＤＳＣＨ（Physical  Downlink  Shared  CHannel）でのランダムアクセスレスポンスの送信、ＣＲＩ（Contention  Resolution  Identity）の送信等を含む。
【００９５】
このように、ＰＲＡＣＨの無線リソース以外のランダムアクセス手続き用の無線リソースも、Ｄ２Ｄリソースの対象外であれば、端末装置２００は、ランダムアクセス手続き用のいずれの無線リソースもＤ２Ｄ通信を行わない。その結果、Ｄ２Ｄ通信により端末装置２００がランダムアクセス手続きのいずれかの部分を行えなくなることを防ぐことができる。また、別の観点として、端末装置２００は、一連のランダムアクセス手続きが完了するまで、ランダムアクセス手続きに影響を与えることなくＤ２Ｄ通信を行うことができる。
【００９６】
以上のように、例えば、無線リソース制御のアイドルモードの端末装置２００により使用される特定の無線リソース（例えば、ページング用の無線リソース、ランダムアクセス手続き用の無線リソース等）を除くいずれかの無線リソースが、Ｄ２Ｄリソースとして決定される。これにより、端末装置２００は、アイドルモードである際に、自装置のセルラー通信に影響を及ぼすことなくＤ２Ｄ通信を行うことが可能になる。
【００９７】
また、Ｄ２Ｄ通信が、ＭＴＣに用いられる場合に、上述したように決定されるＤ２Ｄリソースは、特に有効である。当該ＭＴＣは、装置間の自律的な通信である。ＭＴＣの一例として、計測器である装置が、計測データを近傍の装置へ送信し、当該近傍の装置が、計測データを集計する。このようなＭＴＣでは、送信されるデータのサイズは小さく、データの送信頻度は低く、データの送信遅延は許容される。また、装置には低コスト及び低消費電力が求められる。そのため、ＭＴＣに用いられる装置では、セルラー通信とＤ２Ｄ通信とで通信回路が共有され、装置がセルラー通信のアイドルモードである場合に、Ｄ２Ｄ通信が行われることが望ましい。よって、端末装置２００がＭＴＣを行う装置である場合に、上述したように決定されるＤ２Ｄリソースは特に有効である。
【００９８】
−決定されるＤ２Ｄリソースの具体例
例えば、Ｄ２Ｄリソース決定部１５１は、上記特定の無線リソースを含まないいずれかのサブフレームの無線リソースを、Ｄ２Ｄ通信に使用可能な無線リソースとして決定する。以下、この点について図１４を参照して具体例を説明する。
【００９９】
図１４は、決定されるＤ２Ｄリソースの一例を説明するための説明図である。図１４を参照すると、決定されるＤ２Ｄリソースとして、無線フレーム番号及びサブフレーム番号が示されている。この例では、ＳＦＮが偶数ではない無線フレーム（即ち、ＳＦＮが奇数である無線フレーム）の中の、サブフレーム番号がそれぞれ３、４、７、８又は９であるサブフレームの無線リソースが、Ｄ２Ｄリソースとして決定される。
【０１００】
図１３に示されるようにＰＲＡＣＨコンフィギュレーションインデックスが０である場合には、ＰＲＡＣＨは、ＳＦＮが偶数である無線フレームに存在する。そのため、図１４に示されるようなＤ２Ｄリソースは、ＳＦＮが奇数である無線フレームの無線リソースであるので、ＰＲＡＣＨの無線リソースを含まない。よって、当該Ｄ２ＤリソースでのＤ２Ｄ通信は、ＰＲＡＣＨプリアンブルの送信を妨げない。
【０１０１】
また、図３に示されるように、ＴＤＤコンフィギュレーションがコンフィギュレーション０であり、パラメータＮｓ＝２である場合には、ページング機会は、♯０のサブフレーム及び♯５のサブフレームであり得る。そのため、図１４に示されるようなＤ２Ｄリソースは、♯０のサブフレーム及び♯５のサブフレームを含まないので、ページング機会のサブフレームの無線リソースを含まない。よって、当該Ｄ２ＤリソースでのＤ２Ｄ通信は、ページングメッセージの受信を妨げない。
【０１０２】
このように、サブフレーム単位での無線リソースをＤ２Ｄリソースとして決定することにより、Ｄ２Ｄリソースを単純な情報として示すことが可能になる。よって、Ｄ２Ｄリソースを端末装置１００に通知する際に使用する無線リソースを抑えることができる。また、容易にＤ２Ｄリソースを決定できるので、Ｄ２Ｄリソースの決定のための処理をより簡略化することができる。さらに、セルラー通信で使用され得る無線リソースとＤ２Ｄ通信で使用される無線リソースとが時間軸で切り分けられるので、通信回路（例えば、ＲＦ回路）をセルラー通信とＤ２Ｄ通信とで共有することが可能になる。
【０１０３】
なお、例えば、決定されるＤ２Ｄリソースは、無線リソース制御のアイドルモードの端末装置２００によりＤ２Ｄ通信に使用され、無線リソース制御の接続モードの端末装置２００によりＤ２Ｄ通信に使用されない。一般的に、接続モードの端末装置２００は、いずれのサブフレームでも自装置宛のダウンリンク信号を受信する可能性があるので、Ｄ２Ｄ通信を行うと、当該ダウンリンク信号を受信し損ねることもあり得る。そのため、アイドルモードの端末装置２００のみがＤ２Ｄリソースを使用してＤ２Ｄ通信を行うことにより、Ｄ２Ｄ通信がセルラー通信を妨げる可能性を抑制することができる。
【０１０４】
−Ｄ２Ｄリソースの変更
また、Ｄ２Ｄリソース決定部１５１は、必要に応じてＤ２Ｄリソースを変更する。即ち、Ｄ２Ｄリソース決定部１５１は、必要に応じて新たなＤ２Ｄリソースを決定する。例えば、上記特定の無線リソース（例えば、ページング用の無線リソース、ランダムアクセス手続き用の無線リソース等）が変更される場合に、Ｄ２Ｄリソース決定部１５１は、新たなＤ２Ｄリソースを決定する。
【０１０５】
そして、とりわけ本実施形態では、Ｄ２Ｄソースが変更される場合に、変更前のＤ２Ｄリソースは、所定のタイミング以降にＤ２Ｄ通信に使用されず、変更後のＤ２Ｄリソースは、上記所定のタイミング以降にＤ２Ｄ通信に使用される。例えば、端末装置２００Ａ及び端末装置２００ＢがＤ２Ｄ通信を行う場合に、端末装置２００Ａ及び端末装置２００Ｂの一方が変更前のＤ２Ｄリソースを使用し、他方が変更後のＤ２Ｄリソースを使用することはない。
【０１０６】
このように、所定のタイミングの前後で使用されるＤ２Ｄリソースが切り替わることにより、Ｄ２Ｄ通信でのエラーを抑制することができる。即ち、Ｄ２Ｄ通信を行う端末装置２００間で異なるＤ２Ｄリソースが使用されることにより、Ｄ２Ｄ通信でのエラーが発生することを回避することができる。
【０１０７】
（Ｄ２Ｄリソース通知部１５３）
Ｄ２Ｄリソース通知部１５３は、セル１０内に位置する端末装置２００にＤ２Ｄリソースを通知する。
【０１０８】
例えば、Ｄ２Ｄリソース通知部１５３は、Ｄ２Ｄリソースを、セル１０のシステム情報の中で通知する。より具体的には、例えば、Ｄ２Ｄリソース通知部１５３は、決定されたＤ２Ｄリソースの情報を含むＳＩＢを生成する。そして、Ｄ２Ｄリソース通知部１５３は、無線通信部１２０に、当該ＳＩＢの送信のための無線リソースを使用して当該ＳＩＢを送信させる。
【０１０９】
また、例えば、Ｄ２Ｄリソースが変更された場合（即ち、新たなＤ２Ｄリソースが決定された場合）に、Ｄ２Ｄリソース通知部１５３は、変更後のＤ２Ｄリソースを送信する。より具体的には、例えば、Ｄ２Ｄリソース通知部１５３は、図９に示されるように、無線通信部１２０に、システム情報の変更期間（Ｎ）において変更前のシステム情報を送信させ、システム情報の変更期間（Ｎ＋１）において変更後のシステム情報を送信させる。
【０１１０】
このように、Ｄ２Ｄリソースがシステム情報として通知されることにより、システム情報の変更期間（Ｎ＋１）で、Ｄ２Ｄリソースを含むＳＩＢが最初に受信されるタイミング以降に、変更後のＤ２Ｄリソースが使用され得る。また、当該タイミング以降には、変更前のＤ２Ｄリソースが使用されない。よって、上記タイミングの前後で使用されるＤ２Ｄリソースが切り替わるので、Ｄ２Ｄ通信でのエラーを抑制することができる。
【０１１１】
また、上述したように、例えば、Ｄ２Ｄリソースは、上記特定の無線リソース（例えば、ページング用の無線リソース、ランダムアクセス手続き用の無線リソース等）を除くいずれかの無線リソースである。そして、当該特定の無線リソースは、システム情報（例えば、ページング周期Ｔ及びパラメータｎＢ、ＰＲＡＣＨコンフィギュレーションインデックス、等）の変更に伴い変更される。よって、Ｄ２Ｄリソースがシステム情報の中で送信されれば、変更されたＤ２Ｄリソースを適時通知することができる。
【０１１２】
（Ｄ２Ｄリソース変更通知部１５５）
Ｄ２Ｄリソース変更通知部１５５は、Ｄ２Ｄリソースが変更される場合に、Ｄ２Ｄリソースの変更をページングにより通知する。
【０１１３】
このように、Ｄ２Ｄリソースの変更がページングにより通知されることで、アイドルモードの端末装置２００であっても、Ｄ２Ｄリソースを知ることができる。よって、アイドルモードの端末装置２００に、Ｄ２Ｄ通信に認められる無線リソースを使用させることが可能になる。
【０１１４】
例えば、Ｄ２Ｄリソース変更通知部１５５は、Ｄ２Ｄリソースの変更を、システム情報の変更としてページングにより通知する。より具体的には、例えば、Ｄ２Ｄリソース変更通知部１５５は、図４に示されるようなページングメッセージの中のシステム情報変更のフラグを１にし、無線通信部１２０に、当該ページングメッセージを送信させることにより、Ｄ２Ｄリソースの変更を通知する。例えば、Ｄ２Ｄリソース変更通知部１５５は、図９に示されるように、無線通信部１２０に、システム情報の変更期間（Ｎ）において上記ページングメッセージを送信させる。そして、システム情報の変更期間（Ｎ＋１）において、変更後のＤ２Ｄリソースの情報を含む変更後のシステム情報が送信される。
【０１１５】
これにより、既存のページングメッセージを変更することなく、Ｄ２Ｄリソースの変更を通知することが可能になる。
【０１１６】
なお、Ｄ２Ｄリソース通知部１５５は、Ｄ２Ｄリソースの変更を、システム情報の変更とは別の変更としてページングにより通知し、Ｄ２Ｄリソースの変更を、システム情報の変更としてページングにより通知しなくてもよい。以下、この点について図１５を参照して具体例を説明する。
【０１１７】
図１５は、本実施形態に係るページングメッセージに含まれる情報の一例を説明するための説明図である。図１５を参照すると、図４に示される例と同様に、ページングメッセージには、例えば、ページングレコードリスト、システム情報変更のフラグ、及びＥＴＷＳ指示のフラグが含まれる。そして、ページングメッセージには、さらにＤ２Ｄリソース変更のフラグが含まれる。
【０１１８】
Ｄ２Ｄリソース変更通知部１５５は、Ｄ２Ｄリソースが変更される場合に、Ｄ２Ｄリソース変更のフラグを１にすることにより、Ｄ２Ｄリソースの変更があることを端末装置２００に通知する。また、Ｄ２Ｄリソース変更通知部１５５は、Ｄ２Ｄリソースが変更されない場合に、Ｄ２Ｄリソース変更のフラグを０にすることにより、Ｄ２Ｄリソースの変更がないことを端末装置２００に通知する。なお、Ｄ２Ｄリソース変更通知部１５５は、Ｄ２Ｄリソースの情報以外のシステム情報の変更の有無に基づいて、システム情報変更のフラグを決める。即ち、Ｄ２Ｄリソースが変更されたか否かによって、システム情報変更のフラグは変わることはない。
【０１１９】
これにより、Ｄ２Ｄリソースの変更を端末装置２００に通知しつつ、システム情報の変更が通知される頻度を抑えることができる。よって、Ｄ２Ｄ通信を行わない端末装置２００が、必要もなく、システム情報のうちのどの部分が変わったかを探すことを、防ぐことができる。
【０１２０】
＜＜４．端末装置の構成＞＞
続いて、図１６及び図１７を参照して、本実施形態に係る端末装置２００の構成の一例を説明する。図１６は、本実施形態に係る端末装置２００の構成の一例を示すブロック図である。図１６を参照すると、端末装置２００は、アンテナ部２１０、無線通信部２２０、記憶部２３０及び制御部２４０を備える。
【０１２１】
（アンテナ部２１０）
アンテナ部２１０は、無線信号を受信し、受信された無線信号を無線通信部２２０へ出力する。また、アンテナ部２１０は、無線通信部２２０により出力された送信信号を送信する。
【０１２２】
（無線通信部２２０）
無線通信部２２０は、端末装置２００がセル１０内に位置する場合に、セル１０の基地局１００と無線通信する。
【０１２３】
（記憶部２３０）
記憶部２３０は、端末装置２００の動作のためのプログラム及びデータを記憶する。
【０１２４】
（制御部２４０）
制御部２４０は、端末装置２００の様々な機能を提供する。制御部２４０は、Ｄ２Ｄリソース認識部２４１、Ｄ２Ｄリソース変更認識部２４３及びＤ２Ｄ通信制御部２４５を含む。
【０１２５】
（Ｄ２Ｄリソース認識部２４１）
Ｄ２Ｄリソース認識部２４１は、Ｄ２Ｄリソースが決定され、当該Ｄ２Ｄリソースが通知されると、当該Ｄ２Ｄリソースを認識する。
【０１２６】
より具体的には、例えば、Ｄ２Ｄリソースは、システム情報の中で通知される。この場合に、無線通信部２２０が、Ｄ２Ｄリソースの情報を含むＳＩＢを受信すると、Ｄ２Ｄリソース認識部２４１は、当該ＳＩＢからＤ２Ｄリソースを認識する。
【０１２７】
（Ｄ２Ｄリソース変更認識部２４３）
Ｄ２Ｄリソース変更認識部２４３は、Ｄ２Ｄリソースが変更される場合に、Ｄ２Ｄリソースの変更がページングにより通知されると、Ｄ２Ｄリソースの変更を認識する。
【０１２８】
より具体的には、例えば、上述したように、Ｄ２Ｄリソースの変更は、システム情報の変更としてページングにより通知される。また、図９に示されるように、システム情報の変更期間（Ｎ）において、変更前のシステム情報が送信され、システム情報の変更期間（Ｎ＋１）において、変更後のシステム情報が送信される。この場合に、無線通信部２２０が、システム情報の変更期間（Ｎ）においてページングメッセージを受信する。すると、Ｄ２Ｄリソース変更認識部２４３は、ページングメッセージの中のシステム情報変更のフラグから、システム情報の変更を認識する。この動作は、図５を参照して説明したとおりである。そして、無線通信部２２０が、システム情報の変更期間（Ｎ＋１）において、Ｄ２Ｄリソースの情報を含むＳＩＢを受信する。すると、Ｄ２Ｄリソース変更認識部２４３は、当該ＳＩＢから、Ｄ２Ｄリソースの情報を取得し、Ｄ２Ｄリソースの変更を認識する。
【０１２９】
なお、Ｄ２Ｄリソースの変更は、システム情報の変更とは別の変更としてページングにより通知され、システム情報の変更としてページングにより通知されなくてもよい。この場合に、システム情報の変更期間（Ｎ）において、図１４に示されるようなページングメッセージが送信されると、Ｄ２Ｄリソース変更認識部２４３は、当該ページングメッセージの中のＤ２Ｄリソース変更のフラグから、Ｄ２Ｄリソースの変更を認識してもよい。以下、図１７を参照してこの動作を説明する。
【０１３０】
図１７は、本実施形態に係るページングについての端末装置の動作の例を説明するための説明図である。図１７を参照すると、まず、アイドルモードである端末装置は、所定のページング機会のサブフレーム内のＰＤＣＣＨにＰ−ＲＮＴＩが存在するかどうかモニタリングする。
【０１３１】
ページング機会のサブフレーム内のＰＤＣＣＨ内にＰ−ＲＮＴＩがある場合に、当該サブフレーム内にはページングメッセージが含まれる。よって、Ｄ２Ｄリソース変更認識部２４３は、当該ページングメッセージを取得する。当該ページングメッセージには、ページングレコードリスト、システム情報変更のフラグ、ＥＴＷＳ指示のフラグ、及びＤ２Ｄリソース変更のフラグが含まれる。なお、ＰＤＣＣＨ内にＰ−ＲＮＴＩがない場合には、Ｄ２Ｄリソース変更認識部２４３は、次のページング機会にＰＤＣＣＨのモニタリングを再度行う。
【０１３２】
そして、Ｄ２Ｄリソース変更認識部２４３は、ページングメッセージを取得すると、Ｄ２Ｄリソース変更のフラグから、Ｄ２Ｄリソースの変更があったか否かを確認する。
【０１３３】
（Ｄ２Ｄ通信制御部２４５）
Ｄ２Ｄ通信制御部２４５は、端末装置２００によるＤ２Ｄ通信を制御する。
【０１３４】
とりわけ本実施形態では、Ｄ２Ｄ通信制御部２４５は、認識されるＤ２ＤリソースがＤ２Ｄ通信で使用されるように、Ｄ２Ｄ通信を制御する。より具体的には、例えば、Ｄ２Ｄ通信制御部２４５は、無線通信部２２０に、Ｄ２Ｄリソース認識部２４１により認識されるＤ２Ｄリソースを使用してＤ２Ｄ通信を行わせる。
【０１３５】
さらに、本実施形態では、Ｄ２Ｄ通信制御部２４５は、Ｄ２Ｄリソースが変更される場合に、変更前のＤ２Ｄリソースが所定のタイミング以降にＤ２Ｄ通信に使用されず、変更後のＤ２Ｄリソースが上記所定のタイミング以降にＤ２Ｄ通信に使用されるように、Ｄ２Ｄ通信を制御する。より具体的には、例えば、Ｄ２Ｄリソースは、システム情報の中で通知される。また、Ｄ２Ｄリソースが変更されると、上述したように、Ｄ２Ｄリソース変更認識部２４３がＤ２Ｄリソースの変更が認識する。この場合に、Ｄ２Ｄ通信制御部２４５は、Ｄ２Ｄリソースの変更が認識されるまで、無線通信部２２０に、変更前のＤ２Ｄリソースを使用してＤ２Ｄ通信を行わせ、Ｄ２Ｄリソースの変更が認識された後には、無線通信部２２０に、変更後のＤ２Ｄリソースを使用してＤ２Ｄ通信を行わせる。
【０１３６】
また、例えば、Ｄ２Ｄ通信制御部２４５は、端末装置２００がＲＲＣアイドルモードである場合に、上記Ｄ２Ｄリソースを使用してＤ２Ｄ通信を行い、端末装置２００がＲＲＣ接続モードである場合に、上記Ｄ２Ｄリソースを使用してＤ２Ｄ通信を行わない。
【０１３７】
＜＜５．処理の流れ＞＞
続いて、図１８〜図２０を参照して、本実施形態に係る通信制御処理の例を説明する。
【０１３８】
（基地局側の通信制御処理）
図１８は、本実施形態に係る基地局側の通信制御処理の概略的な流れの一例を示すフローチャートである。
【０１３９】
ステップＳ４０１で、Ｄ２Ｄリソース決定部１５１は、セル１０内でのＤ２Ｄ通信に使用可能な無線リソース（即ち、Ｄ２Ｄリソース）を決定する。
【０１４０】
ステップＳ５００で、Ｄ２Ｄリソース決定部１５１は、Ｄ２Ｄリソース変更判定処理を実行する。そして、ステップＳ４０３において、Ｄ２Ｄリソース変更判定処理でＤ２Ｄリソースを変更すると判定された場合には、処理はステップＳ４０５へ進む。そうでなければ、処理はステプＳ４０９へ進む。
【０１４１】
ステップＳ４０５で、Ｄ２Ｄリソース決定部１５１は、新たなＤ２Ｄリソースを決定する。
【０１４２】
ステップＳ４０７で、Ｄ２Ｄリソース変更通知部１５５は、Ｄ２Ｄリソースの変更をページングにより通知する。
【０１４３】
ステップＳ４０９で、Ｄ２Ｄリソース通知部１５３は、セル１０内に位置する端末装置２００にＤ２Ｄリソースを通知する。そして、処理はステップＳ５００へ戻る。
【０１４４】
−Ｄ２Ｄリソース変更判定処理
図１９は、本実施形態に係るＤ２Ｄリソース変更判定処理の概略的な流れの一例を示すフローチャートである。
【０１４５】
ステップＳ５０１で、Ｄ２Ｄリソース決定部１５１は、ページング機会が変更されるかを判定する。例えば、Ｄ２Ｄリソース決定部１５１は、ページング周期Ｔ及びパラメータｎＢが変更されるかに基づいて、ページング機会が変更されるかを判定する。ページング機会が変更される場合には、処理はステップＳ５０７へ進む。そうでなければ、処理はステップＳ５０３へ進む。
【０１４６】
ステップＳ５０３で、Ｄ２Ｄリソース決定部１５１は、ランダムアクセスの機会（例えば、ＰＲＡＣＨのタイミング）が変更されるかを判定する。例えば、Ｄ２Ｄリソース決定部１５１は、ＰＲＡＣＨコンフィギュレーションインデックスが変更されるかに基づいて、ＰＲＡＣＨのタイミングが変更されるかを判定する。ランダムアクセスアクセスの機会が変更される場合には、処理はステップＳ５０７へ進む。そうでなければ、処理はステップＳ５０５へ進む。
【０１４７】
ステップＳ５０５で、Ｄ２Ｄリソース決定部１５１は、Ｄ２Ｄリソースを変更すると判定する。そして、処理は終了する。
【０１４８】
ステップＳ５０７で、Ｄ２Ｄリソース決定部１５１は、Ｄ２Ｄリソースを変更しないと判定する。そして、処理は終了する。
【０１４９】
（端末装置側の通信制御処理）
図２０は、本実施形態に係る基地局側の通信制御処理の概略的な流れの一例を示すフローチャートである。
【０１５０】
ステップＳ６０１で、Ｄ２Ｄリソース認識部２４１は、Ｄ２Ｄリソースを認識する。例えば、Ｄ２Ｄリソース認識部２４１は、Ｄ２Ｄリソースの情報を含むＳＩＢから、Ｄ２Ｄリソースを認識する。
【０１５１】
ステップＳ６０３で、Ｄ２Ｄ通信制御部２４５は、端末装置２００によるＤ２Ｄ通信を制御する。より具体的には、例えば、Ｄ２Ｄ通信制御部２４５は、認識されたＤ２ＤリソースがＤ２Ｄ通信で使用されるように、Ｄ２Ｄ通信を制御する。
【０１５２】
ステップＳ６０５で、Ｄ２Ｄリソース変更認識部２４３は、Ｄ２Ｄリソースが変更されたかを判定する。より具体的には、例えば、ページングメッセージの中のシステム情報変更のフラグ、及び、いずれかのＳＩＢの中のＤ２Ｄリソースの情報から、Ｄ２Ｄリソースが変更されたかを判定する。Ｄ２Ｄリソースが変更されていれば、処理はステップＳ６０１へ戻る。そうでなければ、処理はステップＳ６０３へ戻る。
【０１５３】
＜＜６．変形例＞＞
続いて、図２１〜図２３を参照して、本実施形態の変形例を説明する。
【０１５４】
＜６．１．概要＞
まず、図２１を参照して、本実施形態に係る基地局１００の変形例の概要を説明する。
【０１５５】
上述した実施形態では、Ｄ２Ｄリソースは、セル１０内に位置する端末装置２００に共通のものとして決定される。一方、本実施形態の変形例では、Ｄ２Ｄリソースは、Ｄ２Ｄ通信のグループごとに決定される。このようなグループごとのＤ２Ｄリソースの決定は、以下のようにいくつかの利点をもたらし得る。
【０１５６】
まず、第１に、Ｄ２Ｄ通信のグループにおいてより多くの無線リソースをＤ２Ｄ通信に使用させることが可能になる。より具体的には、Ｄ２Ｄ通信に使用してもよい無線リソースは、Ｄ２Ｄグループによって異なり得る。例えば、ページング機会は端末装置２００によって異なるので、ページング用の無線リソースは、Ｄ２Ｄグループによって異なり得る。よって、Ｄ２ＤグループごとにＤ２Ｄ通信用の無線リソースが決定される場合には、除外すべき無線リソースがより少なくなり得る。その結果、Ｄ２Ｄ通信の各グループについてより多くの無線リソースがＤ２Ｄリソースとして決定され、当該より多くの無線リソースが使用され得る。
【０１５７】
また、第２に、Ｄ２Ｄ通信のグループ間でＤ２Ｄリソースが重複しないようにＤ２Ｄリソースを決定することにより、Ｄ２Ｄ通信のグループ間での干渉を抑制することができる。以下、この点について図２１を参照して具体例を説明する。
【０１５８】
図２１は、Ｄ２Ｄ通信のグループ間での干渉の一例を説明するための説明図である。図２１を参照すると、無線通信システム１において、端末装置２００Ａ及び端末装置２００Ｂが、Ｄ２Ｄ通信を行う。即ち、端末装置２００Ａ及び端末装置２００ＢがＤ２Ｄ通信のグループを形成する。また、端末装置２００Ｃ及び端末装置２００Ｄも、Ｄ２Ｄ通信を行う。即ち、端末装置２００Ｃ及び端末装置２００ＤもＤ２Ｄ通信のグループを形成する。そして、この例では、端末装置２００Ａ及び端末装置２００Ｂのグループと、端末装置２００Ｃ及び端末装置２００Ｄのグループとは、近傍に位置する。よって、これらのグループ間では干渉が生じ得る。
【０１５９】
このように、Ｄ２Ｄ通信のグループ間では干渉が生じ得る。よって、Ｄ２Ｄ通信のグループ間でＤ２Ｄリソースが重複しないように、Ｄ２Ｄ通信に使用可能な無線リソースを、Ｄ２Ｄ通信のグループごとに決定することにより、Ｄ２Ｄ通信のグループ間での干渉を抑制することができる。
【０１６０】
＜６．２．基地局の構成＞
まず、図２２を参照して、本本実施形態の変形例に係る基地局１００の構成の一例を説明する。ここでは、上述した本実施形態に係る基地局１００の構成の一例との相違点又は当該一例からの変更点のみを説明する。
【０１６１】
（Ｄ２Ｄリソース決定部１５１）
Ｄ２Ｄリソース決定部１５１は、Ｄ２Ｄ通信に使用可能な無線リソース（即ち、Ｄ２Ｄリソース）を、Ｄ２Ｄ通信のグループごとに決定する。
【０１６２】
例えば、Ｄ２Ｄリソース決定部１５１は、Ｄ２Ｄ通信のグループ間でＤ２Ｄリソースが重複しないように、Ｄ２Ｄリソースを決定する。より具体的には、例えば、Ｄ２Ｄリソース決定部１５１は、Ｄ２Ｄ通信のいずれのグループ間でもＤ２Ｄリソースが重複しないように、Ｄ２Ｄリソースを決定する。以下、この点について、図２２を参照して具体例を説明する。
【０１６３】
図２２は、Ｄ２Ｄ通信のグループごとに決定されるＤ２Ｄリソースの一例を説明するための説明図である。図２２を参照すると、Ｄ２Ｄ通信の３つのグループが（グループＡ、グループＢ及びグループＣ）がある場合における、グループごとのＤ２Ｄリソースが示されている。また、図１４の例と同様に、Ｄ２Ｄリソースとして、無線フレーム番号及びサブフレーム番号が示されている。この例では、ＳＦＮが偶数ではない無線フレーム（即ち、ＳＦＮが奇数である無線フレーム）の中の、サブフレーム番号がそれぞれ３又は４であるサブフレームの無線リソースが、グループＡのＤ２Ｄリソースとして決定される。また、ＳＦＮが偶数ではない無線フレームの中の、サブフレーム番号がそれぞれ７又は８であるサブフレームの無線リソースが、グループＢのＤ２Ｄリソースとして決定される。また、ＳＦＮが偶数ではない無線フレームの中の、サブフレーム番号が９であるサブフレームの無線リソースが、グループＣのＤ２Ｄリソースとして決定される。
【０１６４】
このように、Ｄ２Ｄ通信のグループ間でＤ２Ｄリソースが重複しないようにＤ２Ｄリソースが決定されることにより、上述したように、Ｄ２Ｄ通信のグループ間での干渉を抑制することができる。
【０１６５】
なお、Ｄ２Ｄリソース決定部１５１は、Ｄ２Ｄ通信の第１のグループと、当該第１のグループの近傍に位置するＤ２Ｄ通信の第２のグループとの間で、Ｄ２Ｄリソースが重複しないように、Ｄ２Ｄリソースを決定してもよい。即ち、Ｄ２Ｄ通信のいずれのグループ間でも、Ｄ２Ｄリソースが重複しないのではなく、Ｄ２Ｄ通信のグループが互いに近傍に位置する場合に、これらのグループ間でＤ２Ｄリソースが重複しなくてもよい。
【０１６６】
具体的には、例えば、Ｄ２Ｄリソース決定部１５１は、近傍に位置するＤ２Ｄ通信のグループを認識する。例えば、グループＡ及びグループＢが認識される。その後、Ｄ２Ｄリソース決定部１５１は、グループＡとグループＢとの間でＤ２Ｄリソースが重複しないように、グループＡ及びグループＢの各々のＤ２Ｄリソースを決定する。
【０１６７】
これにより、Ｄ２Ｄ通信のグループ間での干渉を抑制することができる。また、近傍に位置しないＤ２Ｄ通信のグループ間では、同じ無線リソースが使用され得るので、より多くの無線リソースがＤ２Ｄ通信で使用され得る。
【０１６８】
なお、Ｄ２Ｄリソース決定部１５１は、例えば以下のように近傍に位置するＤ２Ｄ通信のグループを認識し得る。まず、Ｄ２Ｄリソース決定部１５１は、端末装置２００についてのタイミンアドバンス値から、基地局１００と端末装置２００との間の距離を推定し、アンテナの受信結果から、基地局１００からの端末装置２００の方向を推定する。そして、Ｄ２Ｄリソース決定部１５１は、上記距離と上記方向が近い端末装置２００を含むグループを、近傍に位置するＤ２Ｄ通信のグループとして認識する。
【０１６９】
（Ｄ２Ｄリソース通知部１５３）
Ｄ２Ｄリソース通知部１５３は、Ｄ２Ｄ通信のグループごとに決定されるＤ２Ｄリソースを通知する。より具体的には、例えば、Ｄ２Ｄリソース通知部１５３は、図２２に示されるような、Ｄ２Ｄ通信のグループごとに決定されたＤ２Ｄリソースの情報を含むＳＩＢを生成する。そして、Ｄ２Ｄリソース通知部１５３は、無線通信部１２０に、当該ＳＩＢの送信のための無線リソースを使用して当該ＳＩＢを送信させる。
【０１７０】
＜６．３．処理の流れ＞
次に、図２３を参照して、本実施形態の変形例に係る通信制御処理の例を説明する。なお、端末装置側の通信制御処理は、上述した本実施形態に係る通信制御処理と変形例に係る通信制御処理との間に差異はない。よって、ここでは、基地局側の通信制御処理のみを説明する。
【０１７１】
図２３は、本実施形態の変形例に係る基地局側の通信制御処理の概略的な流れの一例を示すフローチャートである。
【０１７２】
ステップＳ７０１で、Ｄ２Ｄリソース決定部１５１は、Ｄ２Ｄ通信に使用可能な無線リソース（即ち、Ｄ２Ｄリソース）を、Ｄ２Ｄ通信のグループごとに決定する。
【０１７３】
ステップＳ５００で、Ｄ２Ｄリソース決定部１５１は、Ｄ２Ｄリソース変更判定処理を実行する。そして、ステップＳ７０３において、Ｄ２Ｄリソース変更判定処理でＤ２Ｄリソースを変更すると判定された場合には、処理はステップＳ７０５へ進む。そうでなければ、処理はステプＳ７０９へ進む。
【０１７４】
ステップＳ７０５で、Ｄ２Ｄリソース決定部１５１は、Ｄ２Ｄ通信のグループごとに新たなＤ２Ｄリソースを決定する。
【０１７５】
ステップＳ７０７で、Ｄ２Ｄリソース変更通知部１５５は、Ｄ２Ｄリソースの変更をページングにより通知する。
【０１７６】
ステップＳ７０９で、Ｄ２Ｄリソース通知部１５３は、セル１０内に位置する端末装置２００に、グループごとのＤ２Ｄリソースを通知する。そして、処理はステップＳ５００へ戻る。
【０１７７】
＜＜７．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０１７８】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０１７９】
＜４．１．基地局に関する応用例＞
（第１の応用例）
図２４は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１８０】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２４に示したように複数のアンテナ８１０を有し、複数のアンテナ８１０は、例えばｅＮＢ８００が使用する複数の周波数帯域にそれぞれ対応してもよい。なお、図２４にはｅＮＢ８００が複数のアンテナ８１０を有する例を示したが、ｅＮＢ８００は単一のアンテナ８１０を有してもよい。
【０１８１】
基地局装置８２０は、コントローラ８２１、メモリ８２２、ネットワークインタフェース８２３及び無線通信インタフェース８２５を備える。
【０１８２】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１８３】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１８４】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１８５】
無線通信インタフェース８２５は、図２４に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２４に示したように複数のＲＦ回路８２７を含み、複数のＲＦ回路８２７は、例えば複数のアンテナ素子にそれぞれ対応してもよい。なお、図２４には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１８６】
（第２の応用例）
図２５は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１８７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２５に示したように複数のアンテナ８４０を有し、複数のアンテナ８４０は、例えばｅＮＢ８３０が使用する複数の周波数帯域にそれぞれ対応してもよい。なお、図２５にはｅＮＢ８３０が複数のアンテナ８４０を有する例を示したが、ｅＮＢ８３０は単一のアンテナ８４０を有してもよい。
【０１８８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２４を参照して説明したコントローラ８２１、メモリ８２２及びネットワークインタフェース８２３と同様のものである。
【０１８９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２４を参照して説明したＢＢプロセッサ８２６と同様のものである。無線通信インタフェース８５５は、図２５に示したように複数のＢＢプロセッサ８５６を含み、複数のＢＢプロセッサ８５６は、例えばｅＮＢ８３０が使用する複数の周波数帯域にそれぞれ対応してもよい。なお、図２５には無線通信インタフェース８５５が複数のＢＢプロセッサ８５６を含む例を示したが、無線通信インタフェース８５５は単一のＢＢプロセッサ８５６を含んでもよい。
【０１９０】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１９１】
また、ＲＲＨ８６０は、接続インタフェース８６１及び無線通信インタフェース８６３を備える。
【０１９２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１９３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２５に示したように複数のＲＦ回路８６４を含み、複数のＲＦ回路８６４は、例えば複数のアンテナ素子にそれぞれ対応してもよい。なお、図２５には無線通信インタフェース８６３が複数のＲＦ回路８６４を含む例を示したが、無線通信インタフェース８６３は単一のＲＦ回路８６４を含んでもよい。
【０１９４】
図２４及び図２５に示したｅＮＢ８００及びｅＮＢ８３０において、図１１を参照して説明したＤ２Ｄリソース決定部、Ｄ２Ｄリソース通知部及びＤ２Ｄリソース変更通知部は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０１９５】
＜４．２．端末装置に関する応用例＞
（第１の応用例）
図２６は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１９６】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１９７】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１９８】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２６に示したように複数のＢＢプロセッサ９１３及び複数のＲＦ回路９１４を含んでもよい。なお、図２６には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１９９】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２００】
アンテナスイッチ９１５の各々は、無線通信インタフェース９１２に含まれる複数の回路（例えば、異なる無線通信方式のための回路）の間でアンテナ９１６の接続先を切り替える。
【０２０１】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２６に示したように複数のアンテナ９１６を有してもよい。なお、図２６にはスマートフォン９００が複数のアンテナ９１６を有する例を示したが、スマートフォン９００は単一のアンテナ９１６を有してもよい。
【０２０２】
さらに、スマートフォン９００は、無線通信方式ごとにアンテナ９１６を備えてもよい。その場合に、アンテナスイッチ９１５は、スマートフォン９００の構成から省略されてもよい。
【０２０３】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２６に示したスマートフォン９００の各ブロックへ電力を供給する。補助コントローラ９１９は、例えば、スリープモードにおいて、スマートフォン９００の必要最低限の機能を動作させる。
【０２０４】
図２６に示したスマートフォン９００において、図１６を参照して説明したＤ２Ｄリソース認識部２４１、Ｄ２Ｄリソース変更認識部２４３及びＤ２Ｄ通信制御部２４５は、無線通信インタフェース９１２において実装されてもよい。また、これら機能の少なくとも一部は、プロセッサ９０１又は補助コントローラ９１９において実装されてもよい。
【０２０５】
（第２の応用例）
図２７は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２０６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２０７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２０８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２０９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２７に示したように複数のＢＢプロセッサ９３４及び複数のＲＦ回路９３５を含んでもよい。なお、図２７には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２１０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２１１】
アンテナスイッチ９３６の各々は、無線通信インタフェース９３３に含まれる複数の回路（例えば、異なる無線通信方式のための回路）の間でアンテナ９３７の接続先を切り替える。
【０２１２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２７に示したように複数のアンテナ９３７を有してもよい。なお、図２７にはカーナビゲーション装置９２０が複数のアンテナ９３７を有する例を示したが、カーナビゲーション装置９２０は単一のアンテナ９３７を有してもよい。
【０２１３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２１４】
バッテリー９３８は、図中に破線で部分的に示した給電ラインを介して、図２７に示したカーナビゲーション装置９２０の各ブロックへ電力を供給する。また、バッテリー９３８は、車両側から給電される電力を蓄積する。
【０２１５】
図２７に示したカーナビゲーション装置９２０において、図１６を参照して説明したＤ２Ｄリソース認識部２４１、Ｄ２Ｄリソース変更認識部２４３及びＤ２Ｄ通信制御部２４５は、無線通信インタフェース９３３において実装されてもよい。また、これら機能の少なくとも一部は、プロセッサ９２１において実装されてもよい。
【０２１６】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２１７】
＜＜８．まとめ＞＞
ここまで、図１〜図２３を用いて、本開示の実施形態に係る通信装置及び各処理を説明した。本開示に係る実施形態によれば、セル１０内でのＤ２Ｄ通信に使用可能な無線リソース（即ち、Ｄ２Ｄリソース）が決定される。そして、セル１０内に位置する端末装置２００にＤ２Ｄリソースが通知される。また、Ｄ２Ｄリソースが変更される場合に、Ｄ２Ｄリソースの変更がページングにより通知される。また、Ｄ２Ｄソースが変更される場合に、変更前のＤ２Ｄリソースは、所定のタイミング以降にＤ２Ｄ通信に使用されず、変更後のＤ２Ｄリソースは、上記所定のタイミング以降にＤ２Ｄ通信に使用される。
【０２１８】
このように、Ｄ２Ｄリソースの変更がページングにより通知されることで、アイドルモードの端末装置２００であっても、Ｄ２Ｄリソースを知ることができる。よって、アイドルモードの端末装置２００に、Ｄ２Ｄ通信に認められる無線リソースを使用させることが可能になる。また、所定のタイミングの前後で使用されるＤ２Ｄリソースが切り替わることにより、Ｄ２Ｄ通信でのエラーを抑制することができる。即ち、Ｄ２Ｄ通信を行う端末装置２００間で異なるＤ２Ｄリソースが使用されることにより、Ｄ２Ｄ通信でのエラーが発生することを回避することができる。即ち、セルラー通信のアイドルモードの端末装置に、Ｄ２Ｄ通信に認められる無線リソースを使用させ、Ｄ２Ｄ通信でのエラーを抑制することが可能になる。
【０２１９】
また、例えば、Ｄ２Ｄリソースは、セル１０のシステム情報の中で通知される。
【０２２０】
これにより、システム情報の変更期間（Ｎ＋１）で、Ｄ２Ｄリソースを含むＳＩＢが最初に受信されるタイミング以降に、変更後のＤ２Ｄリソースが使用され得る。また、当該タイミング以降には、変更前のＤ２Ｄリソースが使用されない。よって、上記タイミングの前後で使用されるＤ２Ｄリソースが切り替わるので、Ｄ２Ｄ通信でのエラーを抑制することができる。
【０２２１】
また、例えば、Ｄ２Ｄリソースは、上記特定の無線リソース（例えば、ページング用の無線リソース、ランダムアクセス手続き用の無線リソース等）を除くいずれかの無線リソースである。そして、当該特定の無線リソースは、システム情報（例えば、ページング周期Ｔ及びパラメータｎＢ、ＰＲＡＣＨコンフィギュレーションインデックス、等）の変更に伴い変更される。よって、Ｄ２Ｄリソースがシステム情報の中で送信されれば、変更されたＤ２Ｄリソースを適時通知することができる。
【０２２２】
また、例えば、無線リソース制御のアイドルモードの端末装置２００により使用される特定の無線リソースの情報に基づいて、セル１０内でのＤ２Ｄ通信に使用可能な無線リソース（以下、「Ｄ２Ｄリソース」と呼ぶ）が決定される。より具体的には、例えば、上記特定の無線リソースを除くいずれかの無線リソースが、上記Ｄ２Ｄリソースとして決定される。
【０２２３】
これにより、端末装置２００は、アイドルモードである際に、自装置のセルラー通信に影響を及ぼすことなくＤ２Ｄ通信を行うことが可能になる。
【０２２４】
また、Ｄ２Ｄ通信が、ＭＴＣに用いられる場合に、上述したように決定されるＤ２Ｄリソースは、特に有効である。当該ＭＴＣは、装置間の自律的な通信である。ＭＴＣの一例として、計測器である装置が、計測データを近傍の装置へ送信し、当該近傍の装置が、計測データを集計する。このようなＭＴＣでは、送信されるデータのサイズは小さく、データの送信頻度は低く、データの送信遅延は許容される。また、装置には低コスト及び低消費電力が求められる。そのため、ＭＴＣに用いられる装置では、セルラー通信とＤ２Ｄ通信とで通信回路が共有され、装置がセルラー通信のアイドルモードである場合に、Ｄ２Ｄ通信が行われることが望ましい。よって、端末装置２００がＭＴＣを行う装置である場合に、上述したように決定されるＤ２Ｄリソースは特に有効である。
【０２２５】
また、例えば、上記特定の無線リソースは、ページング用の無線リソースを含む。
【０２２６】
このように、ページング用の無線リソースをＤ２Ｄリソースとして決定しないことにより、端末装置２００は、ページング用の無線リソースでＤ２Ｄ通信を行わない。その結果、Ｄ２Ｄ通信により端末装置２００がページングメッセージを受信できなくなってしまうことを防ぐことができる。
【０２２７】
また、ページング用の上記無線リソースは、セル１０内でのＤ２Ｄ通信を行う端末装置２００についてのページングに用いられる無線リソースであってもよい。
【０２２８】
このように、全てのページング用の無線リソースではなく、Ｄ２Ｄ通信を実際に行う端末装置２００についてのページング用の無線リソースのみが、Ｄ２Ｄリソースの対象外であれば、より多くの無線リソースがＤ２Ｄリソースとして認められ得る。その結果、より多くのトラフィックについてのオフローディングが実現され得る。即ち、ＲＡＮにおける無線リソースの消費及び処理の負荷を抑えることができる。
【０２２９】
また、例えば、上記特定の無線リソースは、無線リソース制御の接続モードへの遷移のためのランダムアクセス手続きで使用される無線リソースを含む。
【０２３０】
このように、ランダムアクセス手続きで使用される無線リソースをＤ２Ｄリソースとして決定しないことにより、端末装置２００は、ランダムアクセス手続きで使用される無線リソースでＤ２Ｄ通信を行わない。その結果、Ｄ２Ｄ通信により端末装置２００がランダムアクセス手続きを行えなくなることを防ぐことができる。
【０２３１】
また、一例として、上記ランダムアクセス手続きで使用される当該無線リソースは、ＰＲＡＣＨの無線リソースである。
【０２３２】
これにより、Ｄ２Ｄ通信により端末装置２００がＰＲＡＣＨプリアンブルを送信できなくなることを防ぐことができる。
【０２３３】
また、別の例として、上記ランダムアクセス手続きで使用される当該無線リソースは、Ｄ２Ｄ通信を行う端末装置２００によりランダムアクセス手続きで使用される無線リソースとして、予め選択された無線リソースであってもよい。
【０２３４】
このように、ＰＲＡＣＨの無線リソース以外のランダムアクセス手続き用の無線リソースも、Ｄ２Ｄリソースの対象外であれば、端末装置２００は、ランダムアクセス手続き用のいずれの無線リソースもＤ２Ｄ通信を行わない。その結果、Ｄ２Ｄ通信により端末装置２００がランダムアクセス手続きのいずれかの部分を行えなくなることを防ぐことができる。また、別の観点として、端末装置２００は、一連のランダムアクセス手続きが完了するまで、ランダムアクセス手続きに影響を与えることなくＤ２Ｄ通信を行うことができる。
【０２３５】
また、例えば、上記特定の無線リソースを含まないいずれかのサブフレームの無線リソースが、Ｄ２Ｄ通信に使用可能な無線リソースとして決定される。
【０２３６】
これにより、Ｄ２Ｄリソースを単純な情報として示すことが可能になる。よって、Ｄ２Ｄリソースを端末装置１００に通知する際に使用する無線リソースを抑えることができる。また、容易にＤ２Ｄリソースを決定できるので、Ｄ２Ｄリソースの決定のための処理をより簡略化することができる。さらに、セルラー通信で使用され得る無線リソースとＤ２Ｄ通信で使用される無線リソースとが時間軸で切り分けられるので、通信回路（例えば、ＲＦ回路）をセルラー通信とＤ２Ｄ通信とで共有することが可能になる。
【０２３７】
また、例えば、決定されるＤ２Ｄリソースは、無線リソース制御のアイドルモードの端末装置２００によりＤ２Ｄ通信に使用され、無線リソース制御の接続モードの端末装置２００によりＤ２Ｄ通信に使用されない。
【０２３８】
一般的に、接続モードの端末装置２００は、いずれのサブフレームでも自装置宛のダウンリンク信号を受信する可能性があるので、Ｄ２Ｄ通信を行うと、当該ダウンリンク信号を受信し損ねることもあり得る。そのため、アイドルモードの端末装置２００のみがＤ２Ｄリソースを使用してＤ２Ｄ通信を行うことにより、Ｄ２Ｄ通信がセルラー通信を妨げる可能性を抑制することができる。
【０２３９】
また、例えば、Ｄ２Ｄリソースの変更は、システム情報の変更としてページングにより通知される。
【０２４０】
これにより、既存のページングメッセージを変更することなく、Ｄ２Ｄリソースの変更を通知することが可能になる。
【０２４１】
また、Ｄ２Ｄリソースの変更は、システム情報の変更とは別の変更としてページングにより通知され、システム情報の変更としてページングにより通知されなくてもよい。
【０２４２】
これにより、Ｄ２Ｄリソースの変更を端末装置２００に通知しつつ、システム情報の変更が通知される頻度を抑えることができる。よって、Ｄ２Ｄ通信を行わない端末装置２００が、必要もなく、システム情報のうちのどの部分が変わったかを探すことを、防ぐことができる。
【０２４３】
また、例えば、本開示に係る実施形態の変形例によれば、Ｄ２Ｄリソースは、Ｄ２Ｄ通信のグループごとに決定される。そして、Ｄ２Ｄ通信のグループごとに決定されるＤ２Ｄリソースが通知される。
【０２４４】
これにより、Ｄ２Ｄ通信のグループにおいてより多くの無線リソースをＤ２Ｄ通信に使用させることが可能になる。より具体的には、Ｄ２Ｄ通信に使用しても問題ない無線リソースは、Ｄ２Ｄグループによって異なり得る。例えば、ページング機会は端末装置２００によって異なるので、ページング用の無線リソースは、Ｄ２Ｄグループによって異なり得る。よって、Ｄ２ＤグループごとにＤ２Ｄ通信用の無線リソースが決定される場合には、除外すべき無線リソースがより少なくなり得る。その結果、Ｄ２Ｄ通信の各グループについてより多くの無線リソースがＤ２Ｄリソースとして決定され、当該より多くの無線リソースが使用され得る。
【０２４５】
また、例えば、Ｄ２Ｄ通信のグループ間でＤ２Ｄリソースが重複しないように、Ｄ２Ｄリソースが決定される。
【０２４６】
これにより、Ｄ２Ｄ通信のグループ間での干渉を抑制することができる。
【０２４７】
また、Ｄ２Ｄ通信の第１のグループと、当該第１のグループの近傍に位置するＤ２Ｄ通信の第２のグループとの間で、Ｄ２Ｄリソースが重複しないように、Ｄ２Ｄリソースが決定されてもよい。
【０２４８】
これにより、Ｄ２Ｄ通信のグループ間での干渉を抑制することができる。また、近傍に位置しないＤ２Ｄ通信のグループ間では、同じ無線リソースが使用され得るので、より多くの無線リソースがＤ２Ｄ通信で使用され得る。
【０２４９】
以上、添付図面を参照しながら本開示の好適な実施形態を説明したが、本開示は係る例に限定されないことは言うまでもない。当業者であれば、請求の範囲に記載された範疇内において、各種の変更例または修正例に想到し得ることは明らかであり、それらについても当然に本開示の技術的範囲に属するものと了解される。
【０２５０】
例えば、Ｄ２Ｄリソースがセルのシステム情報の中で通知される例を説明したが、本開示はこれに限定されない。例えば、Ｄ２Ｄリソースは、（Ｄ２Ｄリソース通知部によって）個別の端末装置へのシグナリングにより通知されてもよい。そして、Ｄ２Ｄソースが変更される場合に、変更前のＤ２Ｄリソースは、所定のタイミング以降にＤ２Ｄ通信に使用されず、変更後のＤ２Ｄリソースは、上記所定のタイミング以降にＤ２Ｄ通信に使用されてもよい。一例として、当該所定のタイミングは、システム情報の変更のタイミングであってもよい。また、別の例として、当該所定のタイミングは、指定されるＳＦＮの無線フレームの開始時点であってもよい。
【０２５１】
また、採用される複信方式がＴＤＤである例を説明したが、本開示はこれに限定されない。例えば、採用される複信方式はＦＤＤであってもよい。この場合にも、ＴＤＤと同様にＤ２Ｄリソースの決定、通知及び変更通知が行われ得る。
【０２５２】
また、Ｄ２Ｄ通信がＯＦＤＭに従って行われる例を説明したが、本開示はこれに限定されない。Ｄ２Ｄ通信に別の多重化方式が用いられてもよい。
【０２５３】
また、端末装置がＭＴＣを行う例を説明したが、当然ながら本開示はこれに限定されない。本開示は、ＭＴＣが行われない無線通信システムにおいても適用され得る。即ち、端末装置は、ＭＴＣを行う装置であってもよく、又はＭＴＣを行わない端末装置であってもよい。例えば、本開示は、ＬＴＥに準拠する一般的な端末装置に適用されてもよい。
【０２５４】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０２５５】
また、通信制御装置又は端末装置に内蔵されるＣＰＵ、ＲＯＭ及びＲＡＭ等のハードウェアに、上記通信制御装置又は端末装置の各構成と同等の機能を発揮させるためのコンピュータプログラムも作成可能である。また、当該コンピュータプログラムを記憶させた記憶媒体も提供される。
【０２５６】
なお、以下のような構成も本開示の技術的範囲に属する。
（１）
セル内での装置間通信に使用可能な無線リソースを決定する決定部と、
前記セル内に位置する端末装置に前記無線リソースを通知する通知部と、
を備え、
前記通知部は、前記無線リソースが変更される場合に、前記無線リソースの変更をページングにより通知し、
前記無線リソースが変更される場合に、変更前の前記無線リソースは、所定のタイミング以降に前記装置間通信に使用されず、変更後の前記無線リソースは、前記所定のタイミング以降に前記装置間通信に使用される、
通信制御装置。
（２）
前記通知部は、前記装置間通信に使用可能な前記無線リソースを、前記セルのシステム情報の中で通知する、前記（１）に記載の通信制御装置。
（３）
前記通知部は、前記装置間通信に使用可能な前記無線リソースを、個別の端末装置へのシグナリングにより通知する、前記（１）に記載の通信制御装置。
（４）
前記決定部は、無線リソース制御のアイドルモードの端末装置により使用される特定の無線リソースの情報に基づいて、前記装置間通信に使用可能な前記無線リソースを決定する、前記（１）〜（３）のいずれか１項に記載の通信制御装置。
（５）
前記決定部は、前記特定の無線リソースを除くいずれかの無線リソースを、前記装置間通信に使用可能な前記無線リソースとして決定する、前記（４）に記載の通信制御装置。
（６）
前記決定部は、前記特定の無線リソースを含まないいずれかのサブフレームの無線リソースを、前記装置間通信に使用可能な前記無線リソースとして決定する、前記（５）に記載の通信制御装置。
（７）
前記特定の無線リソースは、ページング用の無線リソースを含む、前記（４）〜（６）のいずれか１項に記載の通信制御装置。
（８）
ページング用の前記無線リソースは、前記装置間通信を行う端末装置についてのページングに用いられる無線リソースである、前記（７）に記載の通信制御装置。
（９）
前記特定の無線リソースは、無線リソース制御の接続モードへの遷移のためのランダムアクセス手続きで使用される無線リソースを含む、前記（４）〜（８）のいずれか１項に記載の通信制御装置。
（１０）
前記ランダムアクセス手続きで使用される前記無線リソースは、物理ランダムアクセスチャネルの無線リソースである、前記（９）に記載の通信制御装置。
（１１）
前記ランダムアクセス手続きで使用される前記無線リソースは、前記装置間通信を行う端末装置により前記ランダムアクセス手続きで使用される無線リソースとして、予め選択された無線リソースである、前記（９）に記載の通信制御装置。
（１２）
前記決定部は、前記装置間通信に使用可能な前記無線リソースを、前記装置間通信のグループごとに決定し、
前記通知部は、前記装置間通信のグループごとに決定される前記無線リソースを通知する、
前記（１）〜（１１）のいずれか１項に記載の通信制御装置。
（１３）
前記決定部は、前記装置間通信のグループ間で前記装置間通信に使用可能な無線リソースが重複しないように、前記装置間通信に使用可能な前記無線リソースを決定する、前記（１２）に記載の通信制御装置。
（１４）
前記決定部は、前記装置間通信の第１のグループと、当該第１のグループの近傍に位置する前記装置間通信の第２のグループとの間で、前記装置間通信に使用可能な無線リソースが重複しないように、前記装置間通信に使用可能な前記無線リソースを決定する、前記（１３）に記載の通信制御装置。
（１５）
前記通知部は、前記装置間通信に使用可能な前記無線リソースの前記変更を、前記システム情報の変更としてページングにより通知する、前記（２）に記載の通信制御装置。
（１６）
前記通知部は、前記装置間通信に使用可能な前記無線リソースの前記変更を、前記システム情報の変更とは別の変更としてページングにより通知し、前記無線リソースの前記変更を、前記システム情報の変更としてページングにより通知しない、前記（２）に記載の通信制御装置。
（１７）
前記装置間通信に使用可能な前記無線リソースは、無線リソース制御のアイドルモードの端末装置により前記装置間通信に使用され、無線リソース制御の接続モードの端末装置により前記装置間通信に使用されない、前記（１）〜（１６）のいずれか１項に記載の通信制御装置。
（１８）
セル内での装置間通信に使用可能な無線リソースを決定することと、
前記セル内に位置する端末装置に前記無線リソースを通知することと、
前記無線リソースが変更される場合に、前記無線リソースの変更をページングにより通知することと、
を含み、
前記無線リソースが変更される場合に、変更前の前記無線リソースは、所定のタイミング以降に前記装置間通信に使用されず、変更後の前記無線リソースは、前記所定のタイミング以降に前記装置間通信に使用される、
通信制御方法。
（１９）
セル内での装置間通信に使用可能な無線リソースが決定され、当該無線リソースが通知されると、当該無線リソースを認識するリソース認識部と、
認識される前記無線リソースが前記装置間通信で使用されるように、当該装置間通信を制御する制御部と、
前記無線リソースが変更される場合に、前記無線リソースの変更がページングにより通知されると、当該無線リソースの当該変更を認識する変更認識部と、
を備え、
前記制御部は、前記無線リソースが変更される場合に、変更前の前記無線リソースが所定のタイミング以降に前記装置間通信に使用されず、変更後の前記無線リソースが前記所定のタイミング以降に前記装置間通信に使用されるように、前記装置間通信を制御する、
端末装置。
（２０）
コンピュータを、
セル内での装置間通信に使用可能な無線リソースが決定され、当該無線リソースが通知されると、当該無線リソースを認識するリソース認識部と、
認識される前記無線リソースが前記装置間通信で使用されるように、当該装置間通信を制御する制御部と、
前記無線リソースが変更される場合に、前記無線リソースの変更がページングにより通知されると、当該無線リソースの当該変更を認識する変更認識部と、
として機能させ、
前記制御部は、前記無線リソースが変更される場合に、変更前の前記無線リソースが所定のタイミング以降に前記装置間通信に使用されず、変更後の前記無線リソースが前記所定のタイミング以降に前記装置間通信に使用されるように、前記装置間通信を制御する、
プログラム。
【符号の説明】
【０２５７】
１        無線通信システム
１０      セル
１００    基地局
１１０    アンテナ部
１２０    無線通信部
１３０    ネットワーク通信部
１４０    記憶部
１５０    制御部
１５１    Ｄ２Ｄリソース決定部
１５３    Ｄ２Ｄリソース通知部
１５５    Ｄ２Ｄリソース変更通知部
２００    端末装置
２１０    アンテナ部
２２０    無線通信部
２３０    記憶部
２４０    制御部
２４１    Ｄ２Ｄリソース認識部
２４３    Ｄ２Ｄリソース変更認識部
２４５    Ｄ２Ｄ通信制御部
【図１】
2014087720.tif 000006
【図２】
2014087720.tif 000007
【図３】
2014087720.tif 000008
【図４】
2014087720.tif 000009
【図５】
2014087720.tif 000010
【図６】
2014087720.tif 000011
【図７】
2014087720.tif 000012
【図８】
2014087720.tif 000013
【図９】
2014087720.tif 000014
【図１０】
2014087720.tif 000015
【図１１】
2014087720.tif 000016
【図１２】
2014087720.tif 000017
【図１３】
2014087720.tif 000018
【図１４】
2014087720.tif 000019
【図１５】
2014087720.tif 000020
【図１６】
2014087720.tif 000021
【図１７】
2014087720.tif 000022
【図１８】
2014087720.tif 000023
【図１９】
2014087720.tif 000024
【図２０】
2014087720.tif 000025
【図２１】
2014087720.tif 000026
【図２２】
2014087720.tif 000027
【図２３】
2014087720.tif 000028
【図２４】
2014087720.tif 000029
【図２５】
2014087720.tif 000030
【図２６】
2014087720.tif 000031
【図２７】
2014087720.tif 000032
【国際調査報告】
2014087720.tif 000033
2014087720.tif 000034
2014087720.tif 000035
2014087720.tif 000036